(57)【要約】  本開示は、周期的ＵＲＬＬＣ送信および低レイテンシ要件を有する他の重要データ送信のレイテンシを低減するための技法を提供する。周期的ＵＲＬＬＣトラフィックをサポートするために、繰り返しを用いたＳＰＳが使用される。同期が達成される前に、基地局（３００、５００）がＵＥ（４００、６００）に、周期的アップリンクデータ送信のためのＳＰＳ設定を送信する。データ送信の開始時点が未知であるとき、基地局（３００、６００）は、周期的データ送信のためのＳＰＳリソースをオーバープロビジョニングする。データ送信のタイミングに基づいて、基地局（３００、６００）は、ＳＰＳ設定のタイミングを調節する。【選択図】図９
2021502026.tif 000002
【特許請求の範囲】
【請求項１】
無線通信ネットワーク（１０）において基地局（３００、５００）によって実施される、周期的データ送信を同期させる方法であって、前記周期的データ送信の各データ送信は、所定の数の繰り返しを含み、前記方法は、
前記周期的データ送信のために第１のＳＰＳ設定をユーザ機器（４００、６００）に送信することであって、前記ＳＰＳ設定はＳＰＳ期間およびオフセットを含む、第１のＳＰＳ設定をユーザ機器（４００、６００）に送信すること、
前記周期的データ送信のために前記ＳＰＳ期間内で利用可能なＳＰＳリソースを割り当てることであって、前記周期的データ送信のために割り当てられるＳＰＳリソースの数は、各データ送信における繰り返し数を上回る、前記ＳＰＳ期間内で利用可能なＳＰＳリソースを割り当てることと、
第１のＳＰＳ期間において、前記ユーザ機器（４００、６００）からデータ送信を受信するか、またはデータ送信を前記ユーザ機器（４００、６００）に送信することと、
前記データ送信のタイミングに基づいて、前記ＳＰＳ期間を前記周期的データ送信と同期させるための新たなＳＰＳ設定を決定することと、
前記新たなＳＰＳ設定を前記ユーザ機器（４００、６００）に送信することと、
を含む、方法。
【請求項２】
前記周期的データ送信の前記タイミングに基づいて前記新たなＳＰＳ設定を決定することは、
前記ＳＰＳ期間の開始に対する前記データ送信の最初の繰り返しのタイミングを決定することと、
前記データ送信の前記最初の繰り返しの前記タイミングに基づいて前記新たなＳＰＳ設定を決定することと、
を含む、請求項１に記載の方法。
【請求項３】
前記データ送信の前記タイミングに基づいて前記新たなＳＰＳ設定を決定することは、
前記データ送信の前記最初の繰り返しの前記タイミングに基づいて、異なるタイミングオフセットを有する１つまたは複数の候補ＳＰＳ設定を決定することと、
候補ＳＰＳ設定ごとに、前記データ送信のためのデータ送信時点を決定することと、
最も早いデータ送信時点を有する前記候補ＳＰＳ設定を前記新たなＳＰＳ設定として選択することと、
を含む、請求項１に記載の方法。
【請求項４】
前記データ送信の前記最初の繰り返しの前記タイミングに基づいて前記新たなＳＰＳ設定を決定することは、前記第１のＳＰＳ設定と比較して前記オフセットを調節することを含む、請求項１から３のいずれか一項に記載の方法。
【請求項５】
前記周期的データ送信のために前記ＳＰＳ期間内で利用可能なＳＰＳリソースを割り当てることは、ＳＰＳ期間内の全ての利用可能なＳＰＳリソースを前記周期的データ送信のために前記ユーザ機器（４００、６００）に割り当てることを含む、請求項１から４のいずれか一項に記載の方法。
【請求項６】
前記周期的データ送信のために前記ＳＰＳ期間内で利用可能なＳＰＳリソースを割り当てることは、ＳＰＳ期間内の全てよりも少ない利用可能なＳＰＳリソースを前記周期的データ送信のために前記ユーザ機器（４００、６００）に割り当てることを含む、請求項１から５のいずれか一項に記載の方法。
【請求項７】
前記繰り返し数は１に等しい、請求項１から６のいずれか一項に記載の方法。
【請求項８】
前記新たなＳＰＳ設定を決定した後に、前記周期的データ送信のためのＳＰＳリソースの前記割り当てを調節することを更に含む、請求項１から７のいずれか一項に記載の方法。
【請求項９】
前記周期的データ送信のためのＳＰＳリソースの前記割り当てを調節することは、前記繰り返し数に等しい数の利用可能なＳＰＳリソースを前記周期的データ送信のために割り当てることを含む、請求項８に記載の方法。
【請求項１０】
前記ＳＰＳ期間のうちの１つの間に、前記ユーザ機器（４００、６００）からの非周期的データ送信を検出することと、
前記非周期的データ送信の検出に応答して、前記周期的データ送信のためのリソース割り当てを調節することと、
を更に含む、請求項１から９のいずれか一項に記載の方法。
【請求項１１】
前記周期的データ送信は、前記ユーザ機器（４００、６００）から前記基地局（３００、５００）へのアップリンク送信を含む、請求項１から１０のいずれか一項に記載の方法。
【請求項１２】
前記ＳＰＳ期間内の全てよりも少ない利用可能なＳＰＳリソースを前記周期的データ送信のために前記ユーザ機器（４００、６００）に割り当てることは、
前記ユーザ機器（４００、６００）から、前記周期的データ送信のためのデータパケット到達時点を示す支援情報を取得することと、
前記支援情報に基づいて前記ＳＰＳ期間内の利用可能なＳＰＳリソースを割り当てることと、
を含む、請求項１１に記載の方法。
【請求項１３】
前記データ送信は、前記基地局（３００、５００）から前記ユーザ機器（４００、６００）へのダウンリンク送信を含む、請求項１から９のいずれか一項に記載の方法。
【請求項１４】
前記データ送信はパディングデータを含む、請求項１３に記載の方法。
【請求項１５】
前記周期的データ送信におけるパディングデータおよび非パディングデータについて、参照信号における異なる巡回シフトを適用することを更に含む、請求項１３に記載の方法。
【請求項１６】
無線通信ネットワーク（１０）においてユーザ機器（ユーザ機器（４００、６００））によって実行される、前記ユーザ機器（４００、６００）からの基地局（３００、５００）への周期的データ送信を同期させる方法であって、前記方法は、
前記基地局（３００、５００）から、前記周期的データ送信のためのＳＰＳ設定を受信することであって、前記ＳＰＳ設定は、ＳＰＳ期間およびオフセットを含む、前記周期的データ送信のためのＳＰＳ設定を受信することと、
前記基地局（３００、５００）から、前記周期的データ送信のために前記ＳＰＳ期間内で利用可能なＳＰＳリソースの割り当てを受信することであって、前記周期的データ送信のために割り当てられるＳＰＳリソースの数は、各データ送信における繰り返し数を上回る、前記ＳＰＳ期間内で利用可能なＳＰＳリソースの割り当てを受信することと、
前記ＳＰＳ設定に従って割り当てられたＳＰＳリソースにおいて、前記基地局（３００、５００）からデータ送信を受信するか、または前記基地局（３００、５００）にデータ送信を送信することと、
を含む、方法。
【請求項１７】
前記データ送信は、前記基地局（３００、５００）からのダウンリンク送信を含む、請求項１６に記載の方法。
【請求項１８】
前記ユーザ機器（４００、６００）は、前記データ送信をブラインド検出する、請求項１７に記載の方法。
【請求項１９】
前記データ送信における参照信号の巡回シフトを検出することと、
前記巡回シフトに基づいて、前記データ送信がパディングデータを含むかまたは非パディングデータを含むかを判断することと、
を更に含む、請求項１８に記載の方法。 
【請求項２０】
前記データ送信は、前記ユーザ機器（４００、６００）から前記基地局（３００、５００）へのアップリンク送信を含む、請求項１６に記載の方法。
【請求項２１】
前記ユーザ機器（４００、６００）によって、データパケット到達時点に基づいて前記データ送信のために割り当てられたＳＰＳリソースを選択することを更に含む、請求項２０に記載の方法。
【請求項２２】
前記周期的データ送信のためのデータパケット到達時点を示す支援情報を前記基地局（３００、５００）に送信することを更に含む、請求項２０または２１に記載の方法。
【請求項２３】
無線通信ネットワーク（１０）において周期的データ送信を同期させるように設定された基地局（５００）であって、前記周期的データ送信の各データ送信は、所定の数の繰り返しを含み、前記基地局（３００、５００）は、
インターフェース回路（５２０）と、
処理回路（５５０）であって、
前記周期的データ送信のために第１のＳＰＳ設定をユーザ機器（４００、６００）に送信し、前記ＳＰＳ設定はＳＰＳ期間およびオフセットを含み、
前記周期的データ送信のために前記ＳＰＳ期間内で利用可能なＳＰＳリソースを割り当て、前記周期的データ送信のために割り当てられるＳＰＳリソースの数は繰り返し数を上回り、
前記ユーザ機器（４００、６００）からデータ送信を受信するか、またはデータ送信を前記ユーザ機器（４００、６００）に送信し、
前記データ送信のタイミングに基づいて、前記ＳＰＳ期間を前記周期的データ送信と同期させるための新たなＳＰＳ設定を決定し、
前記新たなＳＰＳ設定を前記ユーザ機器（４００、６００）に送信する、
ように設定された、処理回路（５５０）と、
を備える、基地局（５００）。
【請求項２４】
前記処理回路は、
前記ＳＰＳ期間の開始に対する前記データ送信の最初の繰り返しのタイミングを決定し、
前記データ送信の前記最初の繰り返しの前記タイミングに基づいて前記新たなＳＰＳ設定を決定する、
ことによって前記周期的データ送信の前記タイミングに基づいて前記新たなＳＰＳ設定を決定する、請求項２３に記載の基地局（５００）。
【請求項２５】
前記処理回路（５５０）は、
前記データ送信の前記最初の繰り返しの前記タイミングに基づいて、異なるタイミングオフセットを有する１つまたは複数の候補ＳＰＳ設定を決定し、
候補ＳＰＳ設定ごとに、前記データ送信のためのデータ送信時点を決定し、
最も早いデータ送信時点を有する前記候補ＳＰＳ設定を前記新たなＳＰＳ設定として選択すること、
によって、前記周期的データ送信の前記タイミングに基づいて前記新たなＳＰＳ設定を決定する、請求項２３に記載の基地局（５００）。
【請求項２６】
前記処理回路（５５０）は、前記新たなＳＰＳ設定のための新たなオフセットを決定するように更に設定される、請求項２３から２５のいずれか一項に記載の基地局（５００）。
【請求項２７】
前記処理回路（５５０）は、ＳＰＳ期間内の全ての利用可能なＳＰＳリソースを前記周期的データ送信のために前記ユーザ機器（４００、６００）に割り当てるように更に設定される、請求項２３から２６のいずれか一項に記載の基地局（５００）。
【請求項２８】
前記処理回路（５５０）は、ＳＰＳ期間内の全てよりも少ない利用可能なＳＰＳリソースを前記周期的データ送信のために前記ユーザ機器（４００、６００）に割り当てるように更に設定される、請求項２３から２７のいずれか一項に記載の基地局（５００）。
【請求項２９】
前記繰り返し数は０に等しい、請求項２３から２８のいずれか一項に記載の基地局（５００）。
【請求項３０】
前記処理回路（５５０）は、前記新たなＳＰＳ設定を決定した後に、前記周期的データ送信のためのＳＰＳリソースの前記割り当てを調節するように更に設定される、請求項２３から２９のいずれか一項に記載の基地局（５００）。
【請求項３１】
前記処理回路（５５０）は、前記繰り返し数に等しい数の利用可能なＳＰＳリソースを前記周期的データ送信のために割り当てることによって前記周期的データ送信のためのＳＰＳリソースの前記割り当てを調節する、請求項３０に記載の基地局（５００）。
【請求項３２】
前記処理回路（５５０）は、
前記周期的データ送信の前記ＳＰＳ期間のうちの１つの間に、前記ユーザ機器（４００、６００）からの非周期的データ送信を検出し、
前記非周期的データ送信の検出に応答して、前記周期的データ送信のためのリソース割り当てを調節する、
ように更に設定される、請求項２３から３１のいずれか一項に記載の基地局（５００）。
【請求項３３】
前記周期的データ送信は、前記ユーザ機器（４００、６００）から前記基地局（５００）へのアップリンク送信を含む、請求項２３から３２のいずれか一項に記載の基地局（５００）。
【請求項３４】
前記処理回路（５５０）は、
前記ユーザ機器（４００、６００）から、前記周期的データ送信のためのおおよそのタイミングを示す支援情報を取得し、
前記支援情報に基づいて前記ＳＰＳ期間内の利用可能なＳＰＳリソースを割り当てる、
ように更に設定される、請求項３３に記載の基地局（５００）。
【請求項３５】
前記データ送信は、前記基地局（５００）から前記ユーザ機器（４００、６００）へのダウンリンク送信を含む、請求項２３から３１のいずれか一項に記載の基地局（５００）。
【請求項３６】
前記データ送信はパディングデータを含む、請求項３５に記載の基地局（５００）。
【請求項３７】
前記処理回路（５５０）は、前記周期的データ送信におけるパディングデータおよび非パディングデータについて、参照信号における異なる巡回シフトを適用するように更に設定される、請求項３６に記載の基地局（５００）。
【請求項３８】
無線通信ネットワーク（１０）における基地局（３００、５００）であって、前記基地局（３００、５００）は、
所定の数の繰り返しを含む周期的データ送信のために第１のＳＰＳ設定をユーザ機器（４００、６００）に送信し、前記ＳＰＳ設定はＳＰＳ期間およびオフセットを含み、
前記周期的データ送信のために前記ＳＰＳ期間内で利用可能なＳＰＳリソースを割り当て、前記周期的データ送信のために割り当てられるＳＰＳリソースの数は繰り返し数を上回り、
前記ユーザ機器（４００、６００）から周期的データ送信を受信するか、または周期的データ送信を前記ユーザ機器（４００、６００）に送信し、
前記データ送信のタイミングに基づいて、前記周期的データ送信に対する前記ＳＰＳ期間のタイミングを調節するための新たなＳＰＳ設定を決定し、
前記新たなＳＰＳ設定を前記ユーザ機器（４００、６００）に送信する、
ように設定される、基地局（３００、５００）。
【請求項３９】
請求項２から１５のいずれか一項に記載の方法のうちの任意の１つを実行するように設定された、請求項３８に記載の基地局（３００、５００）。
【請求項４０】
無線通信ネットワーク（１０）において基地局（３００、５００）における処理回路によって実行されると、前記基地局（３００、５００）に請求項１から１５のいずれか一項に記載の方法のうちの任意の１つを実行させる実行可能命令を含むコンピュータプログラム（５９５）。
【請求項４１】
請求項４０に記載のコンピュータプログラム（５９５）を含む担体であって、前記担体は、電子信号、光信号、無線信号またはコンピュータ可読記憶媒体のうちの１つである、担体。
【請求項４３】
無線通信ネットワーク（１０）において基地局（３００、５００）における処理回路によって実行されると、前記基地局（３００、５００）に請求項１から１５のいずれか一項に記載の方法のうちの任意の１つを実行させる実行可能命令を含むコンピュータプログラム（５９５）を含む非一時的コンピュータ可読記憶媒体（５９０）。
【請求項４３】
無線通信ネットワーク（１０）において、周期的データ送信を輸送または受信するように設定されたユーザ機器（６００）であって、前記ユーザ機器（４００、６００）は、
インターフェース回路（６２０）と、
処理回路（６５０）であって、
前記基地局（３００、５００）から、前記周期的データ送信のためのＳＰＳ設定を受信し、前記ＳＰＳ設定は、ＳＰＳ期間およびオフセットを含み、
前記基地局（３００、５００）から、前記周期的データ送信のために前記ＳＰＳ期間内で利用可能なＳＰＳリソースの割り当てを受信し、前記周期的データ送信のために割り当てられるＳＰＳリソースの数は、各データ送信における繰り返し数を上回り、
前記ＳＰＳ設定に従って割り当てられたＳＰＳリソースにおいて、前記基地局（３００、５００）からデータ送信を受信するか、または前記基地局（３００、５００）にデータ送信を送信する、
ように設定された処理回路（６５０）と、
を備える、ユーザ機器（６００）。
【請求項４４】
前記データ送信は、前記基地局（３００、５００）からのダウンリンク送信を含む、請求項４３に記載のユーザ機器（６００）。
【請求項４５】
前記処理回路（６５０）は、前記データ送信をブラインド検出するように更に設定される、請求項４４に記載のユーザ機器（６００）。
【請求項４６】
前記処理回路（６５０）は、
前記データ送信における参照信号の巡回シフトを検出し、
前記巡回シフトに基づいて、前記データ送信がパディングデータを含むかまたは非パディングデータを含むかを判断する、
ように更に設定される、請求項４５に記載のユーザ機器（６００）。
【請求項４７】
前記データ送信は、前記ユーザ機器（４００、６００）から前記基地局（３００、５００）へのアップリンク送信を含む、請求項４３に記載のユーザ機器（６００）。
【請求項４８】
前記処理回路（６５０）は、データパケット到達時点に基づいて前記データ送信のためのＳＰＳリソースを選択するように更に設定される、請求項４７に記載のユーザ機器（６００）。
【請求項４９】
前記処理回路（６５０）は、前記周期的データ送信のためのデータパケット到達時点を示す支援情報を前記基地局（３００、５００）に送信するように更に設定される、請求項４７または４８に記載のユーザ機器（６００）。
【請求項５０】
無線通信ネットワーク（１０）において、周期的データ送信を輸送または受信するように設定されたユーザ機器（４００、６００）であって、前記ユーザ機器（４００、６００）は、
所定の数の繰り返しを含む前記周期的データ送信のために第１のＳＰＳ設定をユーザ機器（４００、６００）に送信し、前記ＳＰＳ設定はＳＰＳ期間およびオフセットを含み、
前記周期的データ送信のために前記ＳＰＳ期間内で利用可能なＳＰＳリソースを割り当て、前記周期的データ送信のために割り当てられるＳＰＳリソースの数は繰り返し数を上回り、
前記ユーザ機器（４００、６００）から周期的データ送信を受信するか、または周期的データ送信を前記ユーザ機器（４００、６００）に送信し、
前記データ送信のタイミングに基づいて、前記周期的データ送信に対する前記ＳＰＳ期間のタイミングを調節するための新たなＳＰＳ設定を決定し、
前記新たなＳＰＳ設定を前記ユーザ機器（４００、６００）に送信する、
ように設定される、ユーザ機器（４００、６００）。
【請求項５１】
請求項１７から２２のいずれか一項に記載の方法のうちの任意の１つを実行するように設定された、請求項５０に記載のユーザ機器（４００、６００）。
【請求項５２】
無線通信ネットワーク（１０）においてユーザ機器における処理回路によって実行されると、前記ユーザ機器に請求項１６から２２のいずれか一項に記載の方法のうちの任意の１つを実行させる実行可能命令を含むコンピュータプログラム（６９５）。
【請求項５３】
請求項５２に記載のコンピュータプログラム（６９５）を含む担体であって、前記担体は、電子信号、光信号、無線信号またはコンピュータ可読記憶媒体のうちの１つである、担体。
【請求項５４】
無線通信ネットワーク（１０）においてユーザ機器における処理回路（６５０）によって実行されると、前記ユーザ機器に請求項１６から２２のいずれか一項に記載の方法のうちの任意の１つを実行させる実行可能命令を含むコンピュータプログラム（６９５）を含む非一時的コンピュータ−可読記憶媒体（６９０）。
【発明の詳細な説明】
【技術分野】
【０００１】
本開示は、包括的には、無線通信ネットワークにおけるデータ送信に関し、より詳細には、重要データ送信のための半永続スケジューリングに関する。
【背景技術】
【０００２】
重要データ送信は、１ミリ秒以内で１０−５の損失率等の、低レイテンシおよび高信頼性の組み合わされた要件を必要とする。超高信頼低遅延通信（ＵＲＬＬＣ）として表されるこの特徴は、国際電気通信連合（ＩＴＵ）による第５世代（５Ｇ）要件の一部であり、ロングタームエボリューション（ＬＴＥ）リリース１５および新無線（ＮＲ）の双方において開発中である。
【０００３】
ＵＲＬＬＣの１つの典型的な使用事例は、工場自動化のための閉ループ制御である。工場自動化において、トラフィックはセンサにおいて周期的に生成される。例えば、センサは、５ｍｓおきにデータを生成することができる。次に、データは、１ｍｓのレイテンシ、および１０−５の損失率のＵＲＬＬＣ要件でコントローラに送信される。コントローラが全ての測定値を収集した後、作動コマンドが、同様にＵＲＬＬＣデータ配信要件でアクチュエータに送信される。この例において、ＵＲＬＬＣにおける工場自動化使用事例では、１×１０−５の配信信頼性および１ｍｓの最大レイテンシでの５ｍｓごとの周期的トラフィックパターンが予期される。
【０００４】
ＬＴＥにおいて、ボイスオーバーインターネットプロトコル（ＶｏＩＰ）サービス等の、類似の大きさのデータパケットが周期的に生成される予測可能なサービスをサポートするために、半永続スケジューリング（ＳＰＳ）が導入された。エボルブドＮｏｄｅＢ（ｅＮＢ）または５ＧノードＢ（ｇＮＢ）とも呼ばれる基地局は、無線リソース制御（ＲＲＣ）メッセージおよびレイヤ１（Ｌ１）アクティベーションメッセージの組合せによって、周期的に発生するリソースをユーザ機器（ＵＥ）に割り当てる。このプロセスは、そうでなければ動的スケジューリングにおける各割り当てられたアップリンク（ＵＬ）リソースのために必要となった、物理ダウンリンク制御チャネル（ＰＤＣＣＨ）の負荷を低減するのに役立つ。
【０００５】
ＳＰＳは、ＵＬデータ送信のレイテンシ低減をサポートするために、ＬＴＥリリース１４において拡張された。ＵＬダイナミックスケジューリングと比較して、ＳＰＳは、ＵＥによりスケジューリング要求を送信するステップ、および基地局により、これに応答したＵＬダイナミックグラントを送信するステップをなくすため、はるかに迅速にＵＬ送信リソースにアクセスすることができる。
【０００６】
レイテンシを更に低減するために、周期性が最小値、すなわちＬＴＥにおける１送信時間間隔（ＴＴＩ）まで低減される。リリース１４より前は、送信バッファが空である場合、ＵＥは、割り当てられたＳＰＳリソースにおいてパディングを送信する必要がある。そのような低い周期性では、ＵＥが空のデータを有する可能性がより高く、ＴＴＩごとにパディングを送信することで不要な干渉が生じる。したがって、バッファが空であるときにＵＬデータ送信をスキップするオプションが導入されている。しかしながら、設定されるリソースは依然としてＵＥのために予約され、これにより、非効率的なリソース利用につながる場合がある。
【０００７】
ＮＲでは、ＳＰＳにおいて周期的なＵＬ送信リソースを割り当てるこの原理が採用される。低レイテンシおよび高信頼性要件をサポートするために、いくつかの更なる特徴が追加される。
【０００８】
１つの新たな特徴は、トランスポートブロックの繰り返しのサポートである。検討中の２つの主な候補方式が存在する。第１の方式は、繰り返しが任意の時点に開始することができるというものである。この手法の利点は、パケットの準備ができた時点からパケットを送信することができる時点までのレイテンシが低減することであるが、最初の送信を検出していない基地局（例えば、ｅＮＢ／ｇＮＢ）の潜在的なエラー事例をカバーするメカニズムが必要である。第２の方式は、繰り返しが特定の時点においてのみ開始することができることを必要とする。この第２の手法の主な利点は、最初の送信を検出する必要がなく、各繰り返しにおける冗長バージョンの設計が単純化されることである。
【０００９】
別の新たな特徴は、グラントを用いないタイプ１ＵＬデータ送信であり、これは、Ｌ１シグナリングを一切用いないＲＲＣ（再）設定のみに基づく。ＳＰＳは、グラントを用いないタイプ２ＵＬデータ送信に対応し、これは、グラントを用いないＵＬデータ送信のためのＲＲＣ設定およびＬ１シグナリングアクティベーション／ディアクティベーションの双方に基づく。
【００１０】
ＳＰＳは、ダウンリンク（ＤＬ）において周期的トラフィックのために設定することができる。利点は、そうでなければ、動的にスケジューリングされたＤＬ割り振りごとに必要となったＰＤＣＣＨ負荷が低減されることである。しかしながら、これはＵＲＬＬＣの周期的トラフィックのためのＤＬ  ＳＰＳの拡張においてあまり論じられていない。
【００１１】
周期的ＵＲＬＬＣトラフィックをサポートするために、トランスポートブロック繰り返しを用いたＳＰＳが用いられる。基地局は、最も小さな周期性をＵＥに割り当て、すなわち、ＳＰＳ周期はＵＲＬＬＣ周期に合致するべきである。ＳＰＳリソースは、送信されるべきデータが存在するときに割り当てられるべきである。これは、パケット到達時点のアライメントが、ＵＲＬＬＣトラフィックの周期およびＳＰＳ設定に合わせてアライメントされる必要があることを意味する。
【００１２】
トラフィックの周期性およびレイテンシバジェットは、データ無線ベアラの、ＬＴＥではＱｏＳサービス品質（ＱｏＳ）クラス識別子（ＱＣＩ）によって、ＮＲでは５Ｇ  ＱｏＳインジケータ（５ＱＩ）によって、または別のシグナリングメカニズムよって伝達することができる。しかしながら、パケット到達時点は未知である。到達時点と割り当てられた送信機会との間のミスアライメントは、データ送信のためのＵＬ  ＳＰＳリソースの待ち時間につながる。この待ち時間は、全体パケット遅延を増大させる。全体レイテンシは、ＵＲＬＬＣに対する超低レイテンシ要件を上回る場合があるか、または物理レイヤが超高信頼性要件を達成するための残り時間が短すぎる場合があり、これは、ハイブリッド自動再送要求（ＨＡＲＱ）なしの繰り返し等の時間ダイバーシティ技法によって保証される。
【００１３】
ＤＬ  ＵＲＬＬＣトラフィックについて、基地局が最初にパケット到達時点（すなわち、オフセット）を知らず、その瞬間におけるデータ量およびＵＥ数が未知であることに起因してパケットをどの程度高速に処理することができるかを予め知らない場合にも、追加の待ち時間につながり得るミスアライメントが存在する。このミスアライメントは、トラフィックストリームの開始時のパケットに最も関連している。特定量の時間後、基地局は設定を調節することができる。
【発明の概要】
【００１４】
本開示は、周期的ＵＲＬＬＣ送信および低レイテンシ要件を有する他の重要データ送信のレイテンシを低減するための技法を提供する。周期的ＵＲＬＬＣトラフィックをサポートするために、繰り返しを用いたＳＰＳが使用される。同期が達成される前に、基地局がＵＥに、周期的アップリンクデータ送信のためのＳＰＳ設定を送信する。データ送信の開始時点が未知であるとき、基地局は、周期的データ送信のためのＳＰＳリソースをオーバープロビジョニングする。例えば、基地局は、周期的データ送信のためにＳＰＳにおいて利用可能な全てのリソースをＵＥに与えることができる。ＵＬ送信では、ＵＥは、自身のバッファが空であるとき、すなわち送信データがないとき、送信をスキップする。割り当てられたＳＰＳリソースにおいてＵＬ送信が存在するか否かを観測し、ＳＰＳリソースを再設定することによって、基地局は、媒体アクセス制御（ＭＡＣ）パケットデータユニット（ＰＤＵ）の正確な到達時点を再帰的に導出することができる。いくつかの実施形態では、ＵＥは、ＵＥから基地局に送信されたＲＲＣ情報エレメント（ＩＥ）におけるＵＲＬＬＣトラフィックの開始時点を示すことができる。
【００１５】
同様の手法が周期的ＤＬデータ送信に用いられる。データ送信の開始時点が未知であるとき、基地局は、周期的データ送信のためのＳＰＳリソースをオーバープロビジョニングし、データ送信を観測することによってＳＰＳ設定のタイミング／オフセットを調節する。ＵＥは、データ送信をブラインド検出するように設定することができる。ＤＬパディングスキップがサポートされていない場合、パディングデータおよび非パディングデータについて参照信号において異なる巡回シフトを用いて、ＵＥがパディングデータを非パディングデータと区別することを可能にする。
【００１６】
本開示の１つの態様は、基地局によって実施される、周期的データ送信を同期させる方法を含み、ここで、周期的データ送信の各データ送信は、所定の数の繰り返しを含む。基地局は、周期的データ送信のためにＳＰＳ期間およびオフセットを含む第１のＳＰＳ設定をＵＥに送信し、各データ送信における繰り返し数を上回る数のＳＰＳリソースを周期的データ送信のために割り当てる。基地局は、第１のＳＰＳ設定に従って第１のＳＰＳ期間において、ＵＥからデータ送信を受信するか、またはＵＥにデータ送信を送信する。データ送信のタイミングに基づいて、基地局は、ＳＰＳ期間を周期的データ送信と同期させるための新たなＳＰＳ設定を決定し、新たなＳＰＳ設定をＵＥに送信する。
【００１７】
別の実施形態は、前の段落における方法を実施するように設定された基地局を含む。１つの実施形態において、基地局は、ＵＥと通信するためのインターフェース回路と、処理回路とを備える。処理回路は、周期的データ送信のためにＳＰＳ期間およびオフセットを含む第１のＳＰＳ設定をＵＥに送信し、各データ送信における繰り返し数を上回る数のＳＰＳリソースを周期的データ送信のために割り当て、第１のＳＰＳ期間において、ＵＥからデータ送信を受信するか、またはＵＥにデータ送信を送信し、データ送信のタイミングに基づいて、ＳＰＳ期間を周期的データ送信と同期させるための新たなＳＰＳ設定を決定し、新たなＳＰＳ設定をＵＥに送信するように設定される。
【００１８】
本開示の別の態様は、基地局における処理回路によって実行されると、基地局に、上述した方法を実行させる命令を含むコンピュータプログラムを含む。コンピュータプログラムは、担体において具現化されてもよく、または非一時的コンピュータ可読媒体に記憶されてもよい。
【００１９】
本開示の別の態様は、ＵＥによって実行される方法を含む。１つの実施形態において、ＵＥは、基地局から、周期的データ送信のためのＳＰＳ設定を受信する。ＳＰＳ設定は、ＳＰＳ期間およびオフセットを含む。ＵＥは、基地局から、周期的データ送信のために上記ＳＰＳ期間内で利用可能なＳＰＳリソースの割り当てを受信し、ここで、周期的データ送信のために割り当てられるＳＰＳリソースの数は、各データ送信における繰り返し数を上回る。次に、ＵＥは、ＳＰＳ設定に従って割り当てられたＳＰＳリソースにおいて、基地局３００からデータ送信を受信するか、または基地局３００にデータ送信を送信する。
【００２０】
本開示の別の態様は、前の段落における方法を実施するように設定されたＵＥを含む。１つの実施形態において、ＵＥは、ＵＥと通信するためのインターフェース回路と、処理回路とを備える。処理回路は、基地局から、基地局からの周期的データ送信のためのＳＰＳ設定、および周期的データ送信のために上記ＳＰＳ期間内で利用可能なＳＰＳリソースの割り当てを受信するように設定され、ここで、周期的データ送信のために割り当てられるＳＰＳリソースの数は、各データ送信における繰り返し数を上回る。処理回路は、ＳＰＳ設定に従って割り当てられたＳＰＳリソースにおいて、基地局からデータ送信を受信するか、または基地局にデータ送信を送信するように更に設定される。
【００２１】
本開示の他の態様は、ＵＥにおける処理回路によって実行されると、ＵＥに、上述した方法を実行させる命令を含むコンピュータプログラムを含む。コンピュータプログラムは、担体において具現化されてもよく、または非一時的コンピュータ可読媒体に記憶されてもよい。
【図面の簡単な説明】
【００２２】
【図１】ＵＲＬＬＣトラフィックをサポートする無線通信ネットワークを示す。
【図２】ＭＡＣ  ＰＤＵ到達時点に対するＳＰＳ期間のアライメントに起因した過剰なレイテンシを示す。
【図３Ａ】データ送信が任意の時点に開始することができる、ＳＰＳリソースのオーバープロビジョニングを示す。
【図３Ｂ】データ送信が任意の時点に開始することができる、ＳＰＳリソースのオーバープロビジョニングを示す。
【図４】ＳＰＳ期間とＭＡＣ  ＰＤＵ到達時点とのアライメントを示す。
【図５】データ送信が特定の指定された期間に開始するように制約された、ＳＰＳリソースのオーバープロビジョニングを示す。
【図６】周期的データ送信と同期させるためのＳＰＳ設定を決定する例示的な方法を示す。
【図７】周期的データ送信と同期させるためのＳＰＳ設定を決定する例示的な方法を示す。
【図８】全てよりも少ない利用可能なＳＰＳリソースが割り当てられる、ＳＰＳリソースのオーバープロビジョニングを示す。
【図９】ＳＰＳ設定を決定するために基地局によって実施される方法を示す。
【図１０】ＳＰＳを設定するためにＵＥによって実施される方法を示す。
【図１１】周期的データ送信のためにＳＰＳを設定するために基地局によって実施される方法を示す。
【図１２】周期的データ送信のためにＳＰＳを設定するためにＵＥによって実施される方法を示す。
【図１３】１つの実施形態による、無線通信ネットワークにおける基地局の主要機能構成要素を示すブロック図である。
【図１４】１つの実施形態による、無線通信ネットワークにおけるＵＥの主要機能構成要素を示すブロック図である。
【図１５】別の実施形態による、基地局の主要機能構成要素を示すブロック図である。
【図１６】別の実施形態による、ＵＥの主要機能構成要素を示すブロック図である。
【図１７】本開示の特定の実施形態による、例示的な無線ネットワークを示す概略ブロック図である。
【図１８】本開示の特定の実施形態による、ユーザ機器の例を示す概略ブロック図である。
【図１９】本開示の特定の実施形態による、仮想化環境の例を示す概略ブロック図である。
【図２０】本開示の特定の実施形態による、例示的な電気通信ネットワークを示す概略図である。
【図２１】本開示の特定の実施形態による、例示的な通信システムを示す概略ブロック図である。
【図２２】本開示の特定の実施形態による、通信システムにおいて実施される例示的な方法を示す流れ図である。
【図２３】本開示の特定の実施形態による、通信システムにおいて実施される例示的な方法を示す流れ図である。
【図２４】本開示の特定の実施形態による、通信システムにおいて実施される例示的な方法を示す流れ図である。
【図２５】本開示の特定の実施形態による、通信システムにおいて実施される例示的な方法を示す流れ図である。
【発明を実施するための形態】
【００２３】
ここで図面を参照して、本開示の例示的な実施形態が、繰り返しを用いたＳＰＳを使用するＵＲＬＬＣのために設定されたＬＴＥベースのシステムの文脈で説明される。説明される技法は、ＵＬ／ＤＬ送信のためのレイテンシが最小限になるように、ＵＲＬＬＣトラフィックの周期性および開始時点が、割り当てられたＳＰＳリソースとアライメントされることを可能にする。２つの手法、すなわち、第３世代パートナーシッププロジェクト（３ＧＰＰ）標準化の影響がない１つの手法と、３ＧＰＰ標準化の影響のある１つの手法とが提示される。
【００２４】
以下の説明において、ＳＰＳという用語は、ＬＴＥにおけるＳＰＳと、ＮＲにおける現在論考中のグラントを用いないＵＬ送信におけるＳＰＳとの双方を指すのに用いられる。当業者は、本明細書に記載の技法が、より一般的には、ＳＰＳが用いられる任意の無線通信ネットワークに適用可能であることを理解するであろう。本明細書に記載の技法は、当業者によって広帯域符号分割多元接続（ＷＣＤＭＡ）ネットワーク、ワイヤレスフィデリティ（ＷｉＦｉ）ネットワーク、世界規模相互運用マイクロ波アクセス（ＷｉＭＡＸ）ネットワーク、無線ローカルエリアネットワーク（ＷＬＡＮ）、５Ｇネットワーク、ＮＲネットワーク、またはＳＰＳを用いる他の無線通信ネットワーク等の、他の無線アクセス技術（ＲＡＴ）に基づく通信ネットワークにおける使用に容易に適合させることができる。
【００２５】
図１は、ＵＲＬＬＣ送信をサポートするように設定された例示的な無線通信ネットワーク１０を示す。無線通信ネットワーク１０は、無線通信ネットワーク１０のそれぞれのセル２０における無線カバレッジを提供する１つまたは複数の基地局３００を含む。１つの基地局３００および１つのセル２０のみが示されているが、通常のネットワーク１０は、多くのセル２０および基地局３００を含むことが理解されよう。
【００２６】
無線通信ネットワーク１０は、ＵＥとしても知られる複数のユーザ端末４００を更に備える。ＵＥ４００は、例えば、携帯電話、スマートフォン、ラップトップコンピュータ、ネットブック、タブレット、マシンタイプ通信（ＭＴＣ）デバイス、マシンツーマシン（Ｍ２Ｍ）通信デバイス、または無線通信チャネルを介して基地局３００またはスモール基地局３００と通信することが可能な他の無線デバイスを含むことができる。図１には２つのＵＥ４００が示されているが、セル２０は任意の数のＵＥ４００にサービスを提供することができることが理解されよう。
【００２７】
ＬＴＥネットワークにおいて、基地局３００とＵＥ４００との間でデータ送信をスケジューリングするために、ダイナミックスケジューリングが通常用いられる。ＵＥ４００は、送信データを有する場合、スケジューリング要求を基地局３００に送信し、基地局３００からのＵＬグラントを待つ。ＤＬにおいて、基地局３００は、送信データを有するとき、ＵＥ４００が物理ダウンリンク共有チャネル（ＰＤＳＣＨ）においてデータ送信を受信するようにスケジューリングし、スケジューリング情報をＰＤＣＣＨにおいてＵＥ４００に送信して、いずれのＵＥ４００がスケジューリングされたかを示す。ＵＥ４００はＰＤＣＣＨを監視して、自身がデータを受信するようにスケジューリングされているか否かを判断する。ダイナミックスケジューリングに対する１つの欠点は、データ送信をスケジューリングするためのシグナリングオーバーヘッドである。
【００２８】
ＬＴＥでは、ＶｏＩＰサービス等、類似のサイズのデータパケットが周期的に生成される予測可能サービスをサポートするためにＳＰＳが導入された。ＳＰＳは、５ＧおよびＮＲネットワークにおいて用いられることになる。ＳＰＳでは、基地局３００は、ＲＲＣメッセージおよびＬ１アクティベーションメッセージの組合せによって、周期的に発生するリソースをＵＥ４００に割り当てる。このプロセスは、そうでなければダイナミックスケジューリングおよびリソース割り当てに必要となったＰＤＣＣＨ負荷を低減するのに役立つ。
【００２９】
本開示の例示的な実施形態において、５ＧおよびＮＲ規格におけるＵＲＬＬＣに対する厳しいレイテンシ要件を満たすために、ＳＰＳが、ＨＡＲＱを用いないトランスポートブロック（ＴＢ）繰り返しと共に用いられる。基地局３００が、本明細書においてＵＲＬＬＣ期間と呼ばれるＵＲＬＬＣ送信の周期性、およびＵＲＬＬＣ送信のためのレイテンシバジェットを知っていることが想定される。ＵＲＬＬＣトラフィックの周期性およびレイテンシバジェットは、データ無線ベアラのＱＣＩ（ＬＴＥの場合）、もしくは（ＮＲにおける）５ＱＩによって、または別のシグナリングメカニズムによって伝達することができる。
【００３０】
基地局３００は、同じ周期性でＳＰＳを設定する、すなわち、ＳＰＳ周期がＵＲＬＬＣ周期と合致する。次に、送信データが存在するとき、ＳＰＳ周期ごとのＳＰＳリソースが割り当てられる。一般的に、リソースが浪費されないように最小量のリソースが割り当てられるべきである。
【００３１】
レイテンシを最小限にするために、ＳＰＳ期間は、ＭＡＣ  ＰＤＵのパケット到達時点とアライメントされる必要がある。しかしながら、パケット到達時点は未知である。図２に示すように、パケット到達時点と割り当てられた送信機会との間のミスアライメントは、ＵＬ  ＳＰＳリソースのデータ送信の待ち時間につながる。この待ち時間は、全体パケット遅延を増大させ、これはＵＲＬＬＣに対する超低レイテンシ要件を上回る場合がある。また、パケット到達時点がＳＰＳ期間においてより後に生じる場合、物理レイヤが超高信頼性要件を達成するための十分な時間がない場合があり、これは、ハイブリッド自動再送要求（ＨＡＲＱ）なしの繰り返し等の時間ダイバーシティ技法によって保証される。
【００３２】
ＤＬ  ＵＲＬＬＣトラフィックについて、基地局３００が最初にパケット到達時点（すなわち、オフセット）を知らず、その瞬間におけるデータ量およびＵＥ４００の数が未知であることに起因してパケットをどの程度高速に処理することができるかを予め知らない場合にも、追加の待ち時間につながり得るミスアライメントが存在する場合がある。このミスアライメント問題は、トラフィックストリームの開始時に最も関連している。特定量の時間後、基地局３００は設定を調節することができる。
【００３３】
以下に記載する例示的な実施形態では、ＳＰＳ期間をＵＲＬＬＣ送信のパケットデータ到達時点と同期させて、周期的ＵＲＬＬＣ送信の待ち時間を低減し、レイテンシを最小限にするための技法が説明される。これらの技法は、ＵＬ送信およびＤＬ送信の双方に適用することができる。ＵＬ送信およびＤＬ送信の双方について、トランスポートブロックの繰り返しが用いられる。この特徴は、ＨＡＲＱフィードバックを待つことなく再送信することに等しい。目標は、レイテンシバジェット内でより多くの送信を行い、より低い全体ブロック誤り率（ＢＬＥＲ）を得ることである。基地局３００は、ＵＥ４００が設定された繰り返し規則に従って単一のＴＢのＵＬ送信を繰り返すように設定する。ＵＥ４００から基地局３００へのＵＬ送信について、ＵＥ４００は、送信バッファが空であるとき、すなわち送信データがないとき、送信をスキップするように更に設定される。これは、データバッファが空である場合、ＵＥ４００が設定されたＳＰＳリソースを利用しないことを意味する。
【００３４】
第１の実施形態−任意の時点にアップリンク送信が開始する
図３Ａ、図３Ｂおよび図４を参照して、ＵＬ送信のための同期技法の例が説明される。この例において、基地局３００が周期的データ送信のためのパケット到達時点を知らず、データ送信が任意の時点に開始し得ることが想定される。この場合、基地局３００は、５ＱＩ／ＱＣＩ、またはローカルプライベートネットワークにおける管理インターフェース等の何らかの他のシグナリングメカニズムからＵＲＬＬＣトラフィックの周期性およびレイテンシバジェットを導出する。図３Ａ、図３Ｂおよび図４に示す例において、ＵＲＬＬＣ期間は１２である。基地局３００は、周期性がＵＲＬＬＣトラフィックの周期性に等しいＳＰＳ設定を決定する。ＳＰＳ設定は、ＳＰＳ期間、オフセット、繰り返し数、およびリソース割り当てを含む。いくつかの実施形態では、ＳＰＳ設定は、オプションで、ＳＰＳリソースの繰り返し期間を含む。パケット到達開始時点が未知であるとき、すなわち、ＳＰＳ期間の同期が達成される前、基地局３００は、ＳＰＳ期間内の全てのＳＰＳリソースをＵＥ４００からの周期的データ送信のために割り当て、ＵＥ４００がトランスポートブロックをＮ回繰り返すように設定することができる。ここで、Ｎは、ＵＲＬＬＣトラフィックのレイテンシバジェットおよび／または信頼性ターゲットから決定される。ＳＰＳ設定を受信した後、ＵＥ４００は、バッファ内にデータがある場合にのみトランスポートブロックを送信し、繰り返し規則に従ってトランスポートブロックを送信する。データ送信は、任意の設定されたＳＰＳリソースにおいて開始することができ、繰り返しは次の期間まで拡張することができる。
【００３５】
図３Ａおよび図３Ｂは、繰り返し数が４（トランスポートブロックの最初の送信を含む）である初期ＳＰＳ設定の２つの例を示す。双方の例において、パケットデータ到達時点は未知である。図３Ａにおいて、ＳＰＳ期間に１２個の送信間隔があり、データパケットは第５の送信間隔において到達する。この例において、データ送信は、単一のＳＰＳ期間にその全体が含まれる。図３Ｂにおいて、ＳＰＳ期間に１２個の送信間隔があり、繰り返し数は４（最初の送信を含む）に等しく、データパケットは第１１の送信間隔において到達するため、データ送信は次のＳＰＳ期間に及ぶ。
【００３６】
図３Ａおよび図３Ｂに示す双方のシナリオにおいて、基地局３００は、図４に示すように、データ送信の開始時点の検出に成功し、新たなＳＰＳ設定を決定することができる。この新たなＳＰＳ設定は、ＳＰＳ期間の開始を可能な限りパケットデータ到達時点の近くにアライメントする、調節されたオフセットを含む。図４に示すように、基地局３００は、４つのＵＬ送信が現れるロケーションを厳密にカバーする４つのＳＰＳリソースにリソース割り当てを低減することもできる。
【００３７】
いくつかの実施形態では、基地局３００は、疑似周期的トラフィックを検出するように設定することができる。疑似周期的トラフィックの１つの例は、データ送信の開始時点が１つの周期と次の周期とで同じであるが、繰り返し数が僅かに、例えば１だけ変動するときである。基地局３００は、１つの期間と次の期間との僅かな変動を検出するように設定することができる。例えば、基地局３００が、第１の繰り返しが時点ｎ＋ｉに生じ、最後の繰り返しが時点ｎ＋ｊに生じる時間においてＵＬ送信が現れることを検出すると仮定しよう。設定された繰り返し数と最初の送信とを加えた数がＮであり、ｊ−ｉ＋１＞Ｎである場合、アップリンク送信は周期的でなく、疑似周期的である場合がある。この場合、基地局３００は、ｎ＋ｉからｎ＋ｊまでの全ての時間インスタンスをカバーするＳＰＳリソースを割り当てることができる。換言すれば、ＳＰＳ設定のためのリソース割り当ては、最も長いデータ送信をカバーするのに十分である。
【００３８】
繰り返し数は、通常１よりも大きいが、上述した技法は、Ｎ＝１であるときに、周期的トラフィックのための開始時点のアライメントが必要とされる場合にレイテンシを低減するために適用することができる。
【００３９】
第２の実施形態−アップリンク送信が指定された時点に開始する
いくつかのシナリオにおいて、ＵＬデータ送信の開始時点は、基地局３００に未知であるが、ＳＰＳ期間における特定の時点に開始するように制約される。図５は、ＵＬデータ送信の開始時点が制約される１つの例を示す。データ送信が開始することができるＳＰＳリソースが実線で示されている。点線で示すＳＰＳリソースは、データ送信が開始することが許可されていない設定されたＳＰＳリソースを表す。この例において、繰り返し数は４に等しく、ＳＰＳ期間は１２個の送信間隔を含む。ＵＬデータ送信は、時間間隔１、５および９において開始するように制約される。ＭＡＣ  ＰＤＵは時点５に到達し、ＵＥ４００は、ＵＬデータ送信を開始するために、時間間隔９まで待たなくてはならない。
【００４０】
図６に示すように、この場合、基地局３００は、異なるオフセット、すなわち異なる開始時点を有するＮ個の候補ＳＰＳ設定を生成することができる。この例において、各候補ＳＰＳ設定は１ずつ左にシフトされる。基地局３００は、ＵＥ４００が第１のＳＰＳ設定で開始して各ＳＰＳ設定を用いて送信するように設定する。各データ送信後、基地局３００は、ＵＬ送信を完了させる実際の時点を決定し、次の候補ＳＰＳ設定を用いてＵＥ４００を再設定する。この例において、データ送信は、第１のＵＬ送信について時間間隔１２において完了し、第２のＳＰＳ設定について時間間隔１１において完了する。図６に示すように、基地局３００は、送信時間の増大を検出するまで候補ＳＰＳ設定を循環し続ける。基地局３００は、実際の送信時間の増大を検出すると、以前のＳＰＳ設定を、レイテンシ低減のための最適設定として選択する。
【００４１】
図６に示す例では、最適ＳＰＳ設定が見つかる前に全てのＮ＝４個の設定が探索される必要がある。しかしながら、４つ全ての候補ＳＰＳ設定を探索することは必須ではない。図７は、ＳＰＳの２回の再設定の後に最適なＳＰＳ設定が見つかる別の例を示す。
【００４２】
図６および図７は、レイテンシ低減のための最適なアライメントを有するＳＰＳ設定を見つける１つの手順を示す。例えば、再設定の最大数が最小であるかまたは再設定の平均数が最小であることを目標とした、異なる最適な基準とのこのアライメントを見つける他の手順が存在し得る。再設定は１ずつシフトする必要はない。
【００４３】
第３の実施形態−ＵＬ送信のためのＵＥベースのＳＰＳ設定
いくつかの実施形態では、ＵＥ４００は、ＳＰＳ設定を決定するために、基地局３００に支援情報を提供することができる。例えば、第３世代パートナーシッププロジェクト（３ＧＰＰ）規格ＴＳ３６．３３１、セクション５．６．１０、リリース１５において指定されたＵＥＡｓｓｉｓｔａｎｃｅＩｎｆｏｒｍａｔｉｏｎメッセージを用いて、基地局３００に支援情報を送信することができる。本開示のいくつかの実施形態において、周期的ＵＲＬＬＣ送信のための厳密なパケット到達タイミングを示すための、ｓｔａｒｔｉｎｇＴｉｍｅ  ＩＥと呼ばれる新たな情報エレメント（ＩＥ）が定義される。ｓｔａｒｔｉｎｇＴｉｍｅ  ＩＥは、直交周波数分割多重（ＯＦＤＭ）シンボル数、およびサブキャリア間隔（ＮＲのみ）において、絶対時間（例えば、ＳＦＮ＃０のサブフレーム＃０）に対するパケットデータ到達のタイミングオフセットを示す。基地局３００は、タイミング情報を用いてＳＰＳ設定を決定することができる。ＴＳ３６．３３１に指定されたＵＥＡｓｓｉｓｔａｎｃｅＩｎｆｏｒｍａｔｉｏｎのためのものと同じトリガ条件を用いることができる。ｓｔａｒｔｉｎｇＴｉｍｅ  ＩＥを受信すると、基地局３００は、ｓｔａｒｔｉｎｇＴｉｍｅ  ＩＥにおいて指定されたパケット到達時点に基づいて最適なＳＰＳ設定を決定する。
【００４４】
本明細書に記載のｓｔａｒｔｉｎｇＴｉｍｅＩＥは、ＬＴＥリリース１４においてＶ２Ｘサービスのための「ｓｐｓ−ＡｓｓｉｓｔａｎｃｅＩｎｆｏｒｍａｔｉｏｎ−ｒ１４」の一部として導入されたｔｉｍｉｎｇＯｆｆｓｅｔ  ＩＥとは異なる。主要な差異は以下の通りである。
１．  ｔｉｍｉｎｇＯｆｆｓｅｔ  ＩＥは、パケット到達の推定タイミングを示すのみであるのに対し、ｓｔａｒｔｉｎｇＴｉｍｅ  ＩＥは、パケット到達の正確なタイミングを示す。
２．  ｔｉｍｉｎｇＯｆｆｓｅｔ  ＩＥは、タイミングオフセットをミリ秒数で示すのみである。これは、サブミリ秒のアライメント要件を有するＵＲＬＬＣサービスには十分でない。サブミリ秒は、ＬＴＥショートＴＴＩ（２／３ＯＦＤＭシンボルまたは７ＯＦＤＭシンボル）、ＮＲミニスロット（例えば１ＯＦＤＭシンボル〜１３ＯＦＤＭシンボル）の場合に達成可能であり、３０ｋＨｚ、６０ｋＨｚのようなより高いサブキャリア間隔を用いると更に小さくすることもできることに留意されたい。このため、ｓｔａｒｔｉｎｇＴｉｍｅ  ＩＥは、ＯＦＤＭシンボル数およびサブキャリア間隔の双方を示す。
３．  ｔｉｍｉｎｇＯｆｆｓｅｔ  ＩＥは、「ｍｕｌｔｉｐｌｅＵｐｌｉｎｋＳＰＳ」設定と結び付けられ、これは、「ｍｕｌｔｉｐｌｅＵｐｌｉｎｋＳＰＳ」がＵＥ４００においてサポートされていない場合に、ＳＰＳ支援情報を報告することができないことを意味する。ｓｔａｒｔｉｎｇＴｉｍｅ  ＩＥは、１つのＳＰＳ設定のために用いることができる。
４．  ｔｉｍｉｎｇＯｆｆｓｅｔ  ＩＥは、Ｖ２Ｘサービスと結び付けられ、トラフィックがＵＲＬＬＣトラフィックのためのものであることを示すことができない。ｓｔａｒｔｉｎｇＴｉｍｅ  ＩＥはＵＲＬＬＣトラフィックを示すためにのみ用いられる。
【００４５】
第４の実施形態−ＵＬ送信のための、ＵＥにより支援されたＳＰＳ設定
別の実施形態では、ＵＥ４００は、正確なパケット到達タイミングを知らず、推定値のみを知る。ＵＥ４００は、パケット到達時点のこの推定値を基地局３００に送信する。これは別の形式の支援情報である。基地局３００は、この推定パケット到達時点を用いて、データ送信が任意の時点に開始し得るシナリオにおいて自身の探索空間を低減することができる。この場合、割り当てられたＳＰＳリソースは、１つのＳＰＳ期間内の全ての時間インスタンスをカバーする必要はなく、推定到達時点の周囲をカバーすればよい。
【００４６】
第５の実施形態−ダウンリンク送信
本明細書に記載の技法は、ＵＥ４００への周期的データ送信のためのＳＰＳ設定のために用いることもできる。ＤＬ  ＳＰＳについて、基地局３００は、パケット到達時点（すなわち、オフセット）を知らない場合があり、多数のＵＥ４００および／またはバッファ内の大量のトラフィックに起因して、自身がどの程度高速にパケットを処理することができるかを事前に知らない場合がある。上記の技法は、トラフィックストリームの開始においてパケットのアライメントレイテンシを低減するために、周期的ダウンリンク送信に適用することができる。
【００４７】
いくつかの実施形態では、基地局３００が、送信データが存在しない、すなわちパディング送信が存在しないときにＤＬにおける送信を控える、ＤＬパディングスキップをサポートすることができる。ＤＬパディングスキップがサポートされる場合、手順はＵＬにおけるものと同じである。この場合、第１の実施形態に記載の技法をＤＬに適用することができ、ＵＥ４００は、送信の開始をブラインド検出するように設定される。基地局３００は、自身の送信を観測することによってＳＰＳ設定を調節する。
【００４８】
ＤＬパディングスキップがサポートされない場合、基地局３００は、パディングデータおよび非パディングのそれぞれに割り当てられた変調参照信号（ＤＭＲＳ）における２つの異なる巡回シフトを用いるように設定される。このため、ＵＥ４００は、巡回シフトに基づいてパディングデータおよび非パディングデータを区別して、ＤＬ送信をブラインド検出することができる。ＵＥ４００は、パディングデータのための割り当てられた巡回シフトを有するトランスポートブロックを復号する場合、バッファをクリアする。次に、第１の実施形態において説明した技法をダウンリンクに適用することができ、ＵＥ４００は、ダウンリンク送信をブラインド検出することができる。基地局３００は、自身の送信を観測することによってＳＰＳ設定を調節する。
【００４９】
第６の実施形態−アップリンクおよびダウンリンク送信の反復的方法
この実施形態は、ネットワーク１０に負荷がかかり、前のセクションにおいて想定したように、全ての送信間隔におけるＳＰＳ割り当てが実現可能でないシナリオに対処する。上述したようにＳＰＳ期間における全ての送信間隔においてＳＰＳリソースを割り当てるのではなく、基地局３００は、Ｘ送信間隔ごとにＳＰＳリソースを割り当てる。ここでＸ＞１であり、Ｘはネットワーク負荷に依拠する。これにより、データ送信が指定された時間間隔で開始することに制約される実施形態２に類似した状況が発生する。
【００５０】
全てよりも少ないＳＰＳリソースが割り当てられるシナリオにおいて、基地局３００は、実施形態２に類似の手法を用いることができる。基地局３００は、初期ＳＰＳ設定で開始し、最良のＳＰＳ設定を見つけるために、連続データ送信における複数のＳＰＳ設定を巡回する。図８に示すように、各データ送信後に、基地局は、ＳＰＳ設定のためのオフセットを、１送信間隔だけインクリメントする。図８は、ＳＰＳリソースが３つの送信間隔ごとに割り当てられる２つのＳＰＳ設定の例を示す。次に、基地局３００は、各データ送信の結果を比較することによって、実施形態２に記載のＳＰＳ設定の最適なアライメントを検出することができる。最適な解決策を見つけるための最大データ送信数はＸである。この技法は、アップリンク送信およびダウンリンク送信の双方について用いることができる。
【００５１】
図９は、１つの例示的な実施形態においてＳＰＳ設定を周期的データ送信と同期させるために基地局３００によって実施される例示的な方法１００を示す。基地局３００は、ＱＣＩ／５ＱＩから、周期的データ送信のための周期性およびレイテンシバジェットを取得する（ブロック１０５）。次に、基地局３００は、ＳＰＳ期間、リソース割り当て、および繰り返し数を含む初期ＳＰＳ設定を決定する。１つの実施形態ではＳＰＳ期間における全てのＳＰＳリソースが初期ＳＰＳ設定のために割り当てられる。基地局３００がおおよそのパケット到達時点を知っているとき等の他の実施形態では、基地局３００は、ＳＰＳ期間における全てよりも少ないＳＰＳリソースをＵＥ４００に割り当てる。ＳＰＳ期間が、ＵＲＬＬＣ期間に等しくなるようにセットされ、繰り返し数が、レイテンシバジェットに基づいて決定される（ブロック１１０）。データ送信が発生すると、基地局３００は、データ送信の開始時点を観測する（ブロック１１５）。データ送信はＵＬまたはＤＬにおいて生じ得る。データ送信の開始時点に基づいて、基地局３００は、再設定が必要であるか否かを判断する（ブロック１２０）。必要である場合、基地局３００は、ＳＰＳ設定を適合させ、新たな設定をＵＥ４００に送信する（ブロック１２５）。再設定は、最適な解決策が得られるまでこのように継続し、その後、プロセスが終了する（ブロック１３０）。
【００５２】
図１０は、ＵＥ４００によって実施される例示的な方法１５０を示す。ＵＥ４００は、基地局３００からＳＰＳ設定を受信する（ブロック１５５）。ＵＥ４００は、ＳＰＳ設定が新しいか否かを判断する（ブロック１６０）。新しくない場合、ＵＥ４００は、現在のＳＰＳ設定を使用し続け、データが自身のバッファ内に存在する場合にのみ送信する（ブロック１６５）。基地局３００から受信したＳＰＳ設定が新しい場合、ＵＥ４００は、周期的データ送信のためにＳＰＳを再設定する（ブロック１７０）。再設定後、ＵＥ４００は新たなＳＰＳ設定を使用し、データが自身のバッファ内に存在する場合にのみ送信する（ブロック１６５）。このプロセスは、周期的データ送信が終了するまで継続する。
【００５３】
図１１は、基地局３００によって実施される、周期的データ送信を同期させる例示的な方法２００を示し、ここで、周期的データ送信の各データ送信は、所定の数の繰り返しを含む。基地局３００は、周期的データ送信のために第１のＳＰＳ設定をＵＥ４００に送信する（ブロック２０５）。ＳＰＳ設定は、ＳＰＳ期間およびオフセットを含む。ＳＰＳは、データ送信期間と同期されないことが想定される。ＳＰＳ期間が同期されていないとき、基地局３００は、各データ送信における繰り返し数を上回る数のＳＰＳリソースを周期的データ送信のために割り当てる（ブロック２１０）。すなわち、基地局２００は、同期されていないデータ送信のためにＳＰＳリソースをオーバープロビジョニングする。その後、基地局３００は、第１のＳＰＳ設定に従って第１のＳＰＳ期間において、ＵＥ４００からデータ送信を受信するか、またはデータ送信をＵＥ４００に送信する（ブロック２１５）。基地局３００は、データ送信のタイミングに基づいて、ＳＰＳ期間を周期的データ送信と同期させるための新たなＳＰＳ設定を決定し（ブロック２２０）、新たなＳＰＳ設定をＵＥ４０に送信する（ブロック２２５）。
【００５４】
方法２００のいくつかの実施形態において、周期的データ送信は、ＵＥ４００から基地局３００へのアップリンク送信を含む。方法２００の他の実施形態では、周期的データ送信は、ＵＥ４００から基地局３００へのダウンリンク送信を含む。
【００５５】
方法２００のいくつかの実施形態において、基地局３００は、第１のＳＰＳ設定と比較してオフセットを調節することによって新たなＳＰＳ設定を決定する。
【００５６】
方法２００のいくつかの実施形態において、周期的データ送信は、第１のＳＰＳ期間における任意の時点に開始することができる。周期的データ送信のための開始時点が未知である場合、基地局３００は、データ送信の最初の繰り返しのタイミングを決定し、最初の繰り返しのタイミングに基づいて新たなＳＰＳ設定を決定する。例えば、ＳＰＳ期間が時点ｔにおいて開始し、データ送信が時点ｔ＋５において開始すると仮定する。基地局３００は、時点ｔ＋５において開始するようにＳＰＳ設定を調節する。
【００５７】
方法２００の他の実施形態において、周期的データ送信は、ＳＰＳ期間における特定の時点に始まるように制約される。周期的データ送信の開始時点が特定の時点に始まるように制約されている場合、基地局３００は、以下のように新たなＳＰＳ設定を決定することができる。まず、基地局３００は、データ送信の最初の繰り返しのタイミングに基づいて、異なるタイミングオフセットを有する１つまたは複数の候補ＳＰＳ設定を決定する。候補ＳＰＳ設定ごとに、基地局３００は、データ送信のためのデータ送信時点を決定し、次に、最も早い（ｌｏｗｅｓｔ）データ送信時点を有する候補ＳＰＳ設定を新たなＳＰＳ設定として選択する。例えば、データ送信の最初の繰り返しが時点ｔ＋５に始まる場合、基地局３００は、ｔ＋５、ｔ＋４、ｔ＋３およびｔ＋２に等しいオフセットを有する候補ＳＰＳ設定を選択し、ＳＰＳ設定ごとのデータ送信時点を決定し、最も早い送信時点を有する候補ＳＰＳ設定を新たなＳＰＳ設定として選択する。
【００５８】
方法２００のいくつかの実施形態において、基地局３００は、第１のＳＰＳ期間における全ての利用可能なＳＰＳリソースをデータ送信のために割り当てる。他の実施形態において、基地局３００は、第１のＳＰＳ期間における全てよりも少ない利用可能なＳＰＳリソースを周期的データ送信のために割り当てる。例えば、基地局３００は、ｎ個ごとのＳＰＳリソースを割り当てることができ、ここで、ｎは、利用可能なＳＰＳリソースの総数未満の整数である。別の例では、基地局３００は、既知のまたは推定のデータパケット到達時点の近傍のＳＰＳ期間内で利用可能な連続リソースのサブセットを割り当てることができる。
【００５９】
ＵＥ４００から基地局３００への周期的アップリンクデータ送信のための方法２００の１つの実施形態において、基地局３００は、ＵＥ４００から、周期的データ送信のためのデータパケット到達時点を示す支援情報を受信し、支援情報に基づいて利用可能なＳＰＳリソースを割り当てる。データパケット到達時点は、絶対時間基準に対する厳密な時点とすることもできるし、おおよその時点とすることもできる。
【００６０】
方法２００のいくつかの実施形態では、繰り返し数は１に等しい。方法２００のいくつかの実施形態では、基地局３００は、周期的データ送信とのＳＰＳ期間の同期を達成した後にリソース割り当てを調節する。１つの実施形態において、基地局は、ＳＰＳ期間を周期的データ送信と同期させた後の繰り返し数に等しい数の利用可能なＳＰＳリソースを周期的データ送信のために割り当てる。
【００６１】
方法２００のいくつかの実施形態では、基地局３０は、上記ＳＰＳ期間のうちの１つの間に、ＵＥからの非周期的データ送信を検出する。非周期的データ送信の検出に応答して、基地局３００は、周期的データ送信のためのリソース割り当てを調節する。
【００６２】
周期的データ送信がダウンリンク送信を含む方法２００のいくつかの実施形態において、基地局３００は、送信バッファ内にデータがないとき、パディングデータを送信する。いくつかの実施形態では、基地局３００は、ＵＥ４００による周期的データ送信の検出を可能にするために、周期的データ送信におけるパディングデータおよび非パディングデータについて、参照信号における異なる巡回シフトを適用する。
【００６３】
図１２は、１つの実施形態による、ＵＥ４００によって実行される例示的な方法２５０のフローチャートである。ＵＥ４００は、基地局３００から、周期的データ送信のためのＳＰＳ設定を受信する（ブロック２５５）。ＳＰＳ設定は、ＳＰＳ期間およびオフセットを含む。ＵＥ４００は、基地局３００から、周期的データ送信のために上記ＳＰＳ期間内で利用可能なＳＰＳリソースの割り当てを受信する（ブロック２６０）。周期的データ送信のために割り当てられるＳＰＳリソースの数は、各データ送信における繰り返し数を上回る。次に、ＵＥ４００は、ＳＰＳ設定に従って割り当てられたＳＰＳリソースにおいて、基地局３００からデータ送信を受信するか、または基地局３００にデータ送信を送信する（ブロック２６５）。
【００６４】
方法２５０のいくつかの実施形態において、データ送信は、基地局３００からのダウンリンク送信を含み、ＵＥ４００は、データ送信をブラインド検出する。いくつかの実施形態では、ＵＥ４００は、データ送信における参照信号の巡回シフトを検出し、巡回シフトに基づいて、データ送信がパディングデータを含むかまたは非パディングデータを含むかを判断する。
【００６５】
方法２５０のいくつかの実施形態において、データ送信は、ＵＥ４００から基地局３００へのアップリンク送信を含み、ＵＥ４００は、データパケット到達時点に基づいてデータ送信のためのＳＰＳリソースを選択する。
【００６６】
方法２５０のいくつかの実施形態において、データ送信は、ＵＥ４００から基地局３００へのアップリンク送信を含み、ＵＥ４００は、周期的データ送信のためのデータパケット到達時点を示す支援情報を基地局に送信する。データパケット到達時点は、厳密な時間または推定時間とすることができる。
【００６７】
装置は、任意の機能的手段、モジュール、ユニットまたは回路を実施することによって、本明細書に記載の方法のうちの任意のものを実行することができる。１つの実施形態において、例えば、装置は、方法の図面に示したステップを実行するように設定されたそれぞれの回路または回路を含む。これに関して、回路（ｃｉｒｃｕｉｔ  ｏｒ  ｃｉｒｃｕｉｔｒｙ）は、特定の機能的処理を実行するのに専用の回路、および／またはメモリと協働する１つまたは複数のマイクロプロセッサを含むことができる。例えば、回路は、１つまたは複数のマイクロプロセッサまたはマイクロコントローラ、および他のデジタルハードウェアを含むことができ、これはデジタル信号プロセッサ（ＤＳＰ）、専用プロセッサ等を含むことができる。処理回路は、メモリに記憶されたプログラムコードを実行するように設定することができ、これは、読出し専用メモリ（ＲＯＭ）、ランダムアクセスメモリ、キャッシュメモリ、フラッシュメモリデバイス、光学記録デバイス等の、１つまたはいくつかのタイプのメモリを含むことができる。いくつかの実施形態において、メモリに記憶されるプログラムコードは、１つまたは複数の電気通信および／またはデータ通信プロトコルを実行するためのプログラム命令、ならびに本明細書に記載の技法のうちの１つまたは複数を実行するための命令を含むことができる。メモリを用いる実施形態において、メモリは、１つまたは複数のプロセッサによって実行されると、本明細書に記載の技法を実行するプログラムコードを記憶する。
【００６８】
図１３は、１つまたは複数の実施形態による基地局３００を示す。基地局３００は、１つまたは複数のアンテナ３１０と、周期的データ送信のためのＳＰＳ設定を決定するためのＳＰＳモジュール３２０と、周期的データ送信のためにＳＰＳリソースを割り当てるための無線リソース制御（ＲＲＣ）モジュール３３０と、通信モジュール３４０とを備える。様々なモジュール３２０、３３０および３４０は、ハードウェアおよび／またはプロセッサまたは処理回路によって実行されるソフトウェアコードによって実施することができる。ＳＰＳモジュール３２０は、周期的データ送信のためのＳＰＳ設定を決定し、ＳＰＳ設定をＵＥ４００にシグナリングする。ＲＲＣモジュール３３０は、周期的データ送信のためのＳＰＳリソース割り当てを扱う。通信モジュール３１０は、ＳＰＳ設定を用いて周期的データ送信を送信および／または受信する。１つの実施形態において、ＳＰＳモジュール３２０は第１のＳＰＳ設定を決定し、第１のＳＰＳ設定をＵＥ４００にシグナリングする。ＲＲＣモジュール３３０は、第１のＳＰＳ設定のためのリソースを割り当てる。第１のＳＰＳ設定のために割り当てられるリソースの量は、周期的データ送信における繰り返し数を上回る。通信モジュール３４０は、ＵＥ４００に周期的データ送信を送信するか、またはＵＥ４００からデータ送信を受信する。次に、ＳＰＳモジュールは、データ送信のタイミングに基づいて新たなＳＰＳ設定を決定し、新たなＳＰＳ設定をＵＥ４００にシグナリングする。様々なモジュール４２０、４３０および４４０は、ハードウェアおよび／またはプロセッサまたは処理回路によって実行されるソフトウェアコードによって実施することができる。
【００６９】
図１４は、１つまたは複数の実施形態によるＵＥ４００を示す。ＵＥ４００は、１つまたは複数のアンテナ４１０と、基地局３００から周期的データ送信のためのＳＰＳ設定を受信する第１のシグナリングモジュール４２０と、基地局３００からの周期的データ送信のためにＳＰＳ期間において利用可能なＳＰＳリソースの割り当てを受信する第２のシグナリングモジュール４３０と、ＳＰＳ設定に従って割り当てられたＳＰＳリソースにおいて、基地局からデータ送信を受信するか、または基地局にデータ送信を送信するための通信モジュール４４０とを備える。
【００７０】
図１５は、本明細書に記載の基地局３００またはＵＥ４００として機能するように設定することができる、１つの実施形態による無線端末５００を示す。無線端末５００は、１つまたは複数のアンテナ５１０と、インターフェース回路５２０と、処理回路５５０と、メモリ５９０とを備える。
【００７１】
インターフェース回路５２０はアンテナ５１０に結合され、無線通信チャネルを介して信号を送信および受信するのに必要な無線周波数（ＲＦ）回路を含む。１つの実施形態において、インターフェース回路６２０は、基地局３００に信号を送信し、基地局３００から信号を受信するためのＬＴＥまたはＮＲ規格に従って動作する送受信機５５０を備える。インターフェース回路５２０は、通信ネットワーク１０における他のネットワークノードとバックホールおよびサイドホールチャネルを通じて通信するためのネットワークインターフェース５４０を更に備える。
【００７２】
処理回路５５０は、無線端末５００に送信されるかまたは無線端末５００によって受信される信号を処理する。処理回路５５０は、１つまたは複数のマイクロプロセッサ、ハードウェア、ファームウェア、またはこれらの組合せを備えることができる。処理回路５５０は、周期的データ送信のためのＳＰＳ設定を決定するためのＳＰＳユニット５６０と、周期的データ送信のためにＳＰＳリソースを割り当てるためのＲＲＣユニット５７０と、通信ユニット５８０とを備える。１つの実施形態において、ＳＰＳユニット５６０、ＲＲＣユニット５７０および通信ユニット５８０は、単一のマイクロプロセッサによって実施される。他の実施形態では、ＳＰＳユニット５６０、ＲＲＣユニット５７０および通信ユニット５８０は、異なる複数のマイクロプロセッサを用いて実施される。
【００７３】
１つの実施形態において、ＳＰＳユニット５６０は第１のＳＰＳ設定を決定し、第１のＳＰＳ設定をＵＥ４００にシグナリングする。ＲＲＣユニット５７０は、第１のＳＰＳ設定のためのリソースを割り当てる。第１のＳＰＳ設定のために割り当てられるリソースの量は、周期的データ送信における繰り返し数を上回る。通信ユニット５８０は、ＵＥ４００にデータ送信を送信するか、またはＵＥ４００からデータ送信を受信する。次に、ＳＰＳユニット５６０は、データ送信のタイミングに基づいて新たなＳＰＳ設定を決定し、新たなＳＰＳ設定をＵＥ４００にシグナリングする。
【００７４】
メモリ５９０は、処理回路５５０によって動作のために必要とされるコンピュータプログラムコードおよびデータを記憶するための揮発性メモリおよび不揮発性メモリの双方を含む。メモリ５９０は、電子、磁気、光、電磁または半導体データストレージを含む、データを記憶するための任意の有形の非一時的コンピュータ可読記憶媒体を含むことができる。メモリ５９０は、本明細書に記載のように図９および図１１に従って方法１００または１４０を実施するように処理回路５５０を設定する実行可能な命令を含むコンピュータプログラム５９５を記憶する。一般的に、コンピュータプログラム命令および設定情報は、読出し専用メモリ（ＲＯＭ）、消去可能プログラマブル読出し専用メモリ（ＥＰＲＯＭ）またはフラッシュメモリ等の不揮発性メモリに記憶される。動作中に生成される一時データは、ランダムアクセスメモリ（ＲＡＭ）等の揮発性メモリに記憶することができる。いくつかの実施形態では、本明細書に記載の処理回路５５０を設定するためのコンピュータプログラム５９５は、ポータブルコンパクトディスク、ポータブルデジタルビデオディスク等のリムーバブルメモリ、または他のリムーバブル媒体に記憶することができる。コンピュータプログラム５９５は、電子信号、光信号、無線信号またはコンピュータ可読記憶媒体等の担体において具現化することもできる。
【００７５】
図１６は、１つの実施形態によるＵＥ６００を示す。ＵＥ６００は、１つまたは複数のアンテナ６１０、インターフェース回路６２０、処理回路６５０およびメモリ６９０を備える。
【００７６】
インターフェース回路６２０はアンテナ６１０に結合され、無線通信チャネルを通じて信号を送信および受信するのに必要な無線周波数（ＲＦ）回路を含む。１つの実施形態において、インターフェース回路６２０は、基地局３００に信号を送信し、基地局３００から信号を受信するためのＬＴＥまたはＮＲ規格に従って動作する送信機６３０および受信機６４０を備える。
【００７７】
処理回路６５０は、無線端末６００に送信されるか、または無線端末６００によって受信される信号を処理する。処理回路６５０は、１つまたは複数のマイクロプロセッサ、ハードウェア、ファームウェアまたはこれらの組合せによって実施することができる。処理回路６５０は、基地局３００からＳＰＳ設定を受信するための第１のシグナリングユニット６６０と、基地局３００からＳＰＳリソース割り当てを受信するための第２のシグナリングユニット６７０と、基地局３００に周期的データ送信を送信するか、または基地局３００から周期的データ送信を受信するための通信ユニット６８０とを含む。１つの実施形態において、第１のシグナリングユニット６６０、第２のシグナリングユニット６７０および通信ユニット６８０は、単一のマイクロプロセッサによって実施される。他の実施形態において、第１のシグナリングユニット６６０、第２のシグナリングユニット６７０および通信ユニット６８０は、異なる複数のマイクロプロセッサを用いて実施される。
【００７８】
メモリ６９０は、処理回路６５０によって動作のために必要とされるコンピュータプログラムコードおよびデータを記憶するための揮発性メモリおよび不揮発性メモリの双方を含む。メモリ６９０は、電子、磁気、光、電磁または半導体データストレージを含む、データを記憶するための任意の有形の非一時的コンピュータ可読記憶媒体を含むことができる。メモリ６９０は、本明細書に記載のように図１０に従って方法１００または１４０を実施するように処理回路６５０を設定する実行可能な命令を含むコンピュータプログラム６９５を記憶する。一般的に、コンピュータプログラム命令および設定情報は、読出し専用メモリ（ＲＯＭ）、消去可能プログラマブル読出し専用メモリ（ＥＰＲＯＭ）またはフラッシュメモリ等の不揮発性メモリに記憶される。動作中に生成される一時データは、ランダムアクセスメモリ（ＲＡＭ）等の揮発性メモリに記憶することができる。いくつかの実施形態では、本明細書に記載の処理回路６５０を設定するためのコンピュータプログラム６９５は、ポータブルコンパクトディスク、ポータブルデジタルビデオディスク等のリムーバブルメモリ、または他のリムーバブル媒体に記憶することができる。コンピュータプログラム６９５は、電子信号、光信号、無線信号またはコンピュータ可読記憶媒体等の担体において具現化することもできる。
【００７９】
当業者は、本明細書における実施形態が、対応するコンピュータプログラムを更に含むことを理解するであろう。
【００８０】
コンピュータプログラムは、装置の少なくとも１つのプロセッサ上で実行されると、上述したそれぞれの処理のうちの任意のものを装置に実行させる命令を含む。この点において、コンピュータプログラムは、上述した手段またはユニットに対応する１つまたは複数のコードモジュールを含み得る。
【００８１】
実施形態は、そうしたコンピュータプログラムを収容する担体を更に含む。この担体は、電子信号、光信号、無線信号またはコンピュータ可読記憶媒体のうちの１つを含み得る。
【００８２】
この点において、ここでの実施形態は、非一時的なコンピュータ可読（記憶または記録）媒体に記憶され、装置のプロセッサにより実行されると、装置に上述したように動作させる命令を含むコンピュータプログラム製品も含む。
【００８３】
実施形態は、コンピューティングデバイスによりコンピュータプログラム製品が実行されたときに、本明細書における実施形態のうちの任意のもののステップを実行するためのプログラムコード部分を含むコンピュータプログラム製品を更に含む。このコンピュータプログラム製品は、コンピュータ可読記録媒体に記憶されてもよい。
【００８４】
本明細書に記載の技法を用いると、ＵＬ／ＤＬ送信を待つためのレイテンシが最小限になるように、ＵＲＬＬＣトラフィックの周期性および開始時点が、割り当てられたＳＰＳリソースとアライメントされる。２つの手法、すなわち、３ＧＰＰ標準化の影響がない１つの手法と、３ＧＰＰ標準化の影響のある１つの手法とが提示される。
【００８５】
追加の実施形態
本明細書に記載の主題は、任意の適切なコンポーネントを用いて任意の適切なタイプのシステムにおいて実施することができるが、本明細書において開示される実施形態は、図１７に示す例示的な無線ネットワーク等の無線ネットワークとの関連で説明される。簡単にするために、図１７の無線ネットワークは、ネットワーク１１０６、ネットワークノード１１６０および１１６０ｂ、ならびにＷＤ  １１１０、１１１０ｂ、および１１１０ｃのみを示す。実際には、無線ネットワークは、固定電話、サービスプロバイダ、または任意の他のネットワークノードもしくはエンドデバイス等の、無線デバイス間または無線デバイスと別の通信デバイスとの間の通信をサポートするのに適した任意の追加の要素を更に含むことができる。示されるコンポーネントのうち、ネットワークノード１１６０および無線デバイス（ＷＤ）１１１０は、更なる詳細を有して示される。無線ネットワークは、１つまたは複数の無線デバイスに通信および他のタイプのサービスを提供し、無線デバイスによる、無線ネットワークによってまたは無線ネットワークを介して提供されるサービスへのアクセスおよび／またはその使用を容易にすることができる。
【００８６】
無線ネットワークは、任意のタイプの通信、電気通信、データ、セルラおよび／もしくは無線ネットワーク、もしくは他の類似のタイプのシステムを含み、かつ／またはこれらとインターフェースすることができる。いくつかの実施形態では、無線ネットワークは、特定の規格または他のタイプの所定の規則もしくは手順に従って動作するように設定することができる。このため、無線ネットワークの特定の実施形態は、モバイル通信のためのグローバルシステム（ＧＳＭ）、ユニバーサルモバイルテレコミュニケーションシステム（ＵＭＴＳ）、ロングタームエボリューション（ＬＴＥ）、狭帯域のモノのインターネット（ＮＢ−ＩｏＴ）および／もしくは他の適切な２Ｇ、３Ｇ、４Ｇもしくは５Ｇ規格、ＩＥＥＥ８０２．１１規格等の無線ローカルエリアネットワーク（ＷＬＡＮ）規格、ならびに／または、マイクロ波アクセスのための世界的相互運用性（ＷｉＭＡＸ）、Ｂｌｕｅｔｏｏｔｈ、Ｚ−Ｗａｖｅおよび／またはＺｉｇＢｅｅ規格等の任意の他の適切な無線通信規格等の通信規格を実施することができる。
【００８７】
ネットワーク１１０６は、１つまたは複数のバックホールネットワーク、コアネットワーク、ＩＰネットワーク、公衆交換電話ネットワーク（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークを含むことができる。
【００８８】
ネットワークノード１１６０およびＷＤ１１１０は、以下でより詳細に説明される様々なコンポーネントを含む。これらのコンポーネントは、無線ネットワークにおける無線接続の提供等、ネットワークノードおよび／または無線デバイスの機能を提供するために協働する。異なる実施形態において、無線ネットワークは、任意の数の有線または無線ネットワーク、ネットワークノード、基地局、コントローラ、無線デバイス、中継局、ならびに／または、有線接続を介したものであっても、もしくは無線接続を介したものであっても、データおよび／もしくは信号の通信を容易にし、もしくはその通信に参加することができる任意の他のコンポーネントもしくはシステムを含むことができる。
【００８９】
本明細書において用いられるとき、ネットワークノードとは、無線デバイスおよび／または無線ネットワークにおける他のネットワークノードもしくは機器と直接または間接的に通信して、無線デバイスへの無線アクセスを可能にしかつ／もしくは提供し、かつ／または無線ネットワークにおける他の機能（例えば管理）を行うことが可能であり、そのように設定され、調整され、かつ／または動作可能な機器ケーブルを指す。ネットワークノードの例は、限定ではないが、アクセスポイント（ＡＰ）（例えば、無線アクセスポイント）、基地局（ＢＳ）（例えば、無線基地局、ノードＢ、エボルブドノードＢ（ｅＮＢ）、およびＮＲノードＢ（ｇＮＢ）を含む。）基地局は、提供するカバレッジの量（または言い換えれば送信電力レベル）に基づいてカテゴライズすることができ、その場合、フェムト基地局、ピコ基地局、マイクロ基地局またはマクロ基地局と呼ばれる場合もある。基地局は、中継ノード、または中継を制御する中継ドナーノードとすることができる。ネットワークノードは、場合によってはリモート無線ヘッド（ＲＲＨ）と呼ばれる集中型デジタルユニットおよび／またはリモート無線ユニット（ＲＲＵ）等の分散無線基地局の１つまたは複数の（または全ての）部分も含むことができる。そのようなリモート無線ユニットは、アンテナ一体型無線としてアンテナと一体化されている場合も、一体化されていない場合もある。分散無線基地局の一部分は、分散アンテナシステム（ＤＡＳＨ）においてノードと呼ばれる場合もある。ネットワークノードのまた更なる例は、マルチスタンダード無線（ＭＳＲ）ＢＳ等のＭＳＲ機器、無線ネットワークコントローラ（ＲＮＣ）または基地局コントローラ（ＢＳＣ）等のネットワークコントローラ、送受信機基地局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するような仮想ネットワークノードとすることができる。しかしながら、より一般的には、ネットワークノードは、無線デバイスに無線ネットワークへのアクセスを可能にし、かつ／もしくは提供するか、または無線ネットワークにアクセスした無線デバイスに何らかのサービスを提供することが可能であり、そのように設定され、調整され、かつ／または動作可能な任意の適切なデバイス（またはデバイスのグループ）を表すことができる。
【００９０】
図１７において、ネットワークノード１１６０は、処理回路１１７０と、デバイス可読媒体１１８０と、インターフェース１１９０と、補助機器１１８４と、電源１１８６と、電力回路１１８７と、アンテナ１１６２とを含む。図１７の例示的な無線ネットワークにおいて示されるネットワークノード１１６０は、ハードウェアコンポーネントの示される組合せを含むデバイスを表す場合があるが、他の実施形態は、コンポーネントの異なる組合せを有するネットワークノードを含んでもよい。ネットワークノードが、本明細書に開示されるタスク、特徴、機能および方法を実行するのに必要なハードウェアおよび／またはソフトウェアの任意の適切な組合せを含むことが理解されよう。更に、ネットワークノード１１６０のコンポーネントは、大きなボックス内に位置するか、または複数のボックス内に入れ子になった単一のボックスとして示されているが、実際には、ネットワークノードは、単一の示されるコンポーネントを構成する複数の異なる物理的コンポーネントを含んでもよい（例えば、デバイス可読媒体１１８０は、複数の別個のハードドライブおよび複数のＲＡＭモジュールを含んでもよい）。
【００９１】
同様に、ネットワークノード１１６０は、複数の物理的に別個のコンポーネント（例えば、ＮｏｄｅＢコンポーネントおよびＲＮＣコンポーネント、またはＢＴＳコンポーネントおよびＢＳＣコンポーネント等）から構成することができ、これらのコンポーネントは各々、独自のそれぞれのコンポーネントを有することができる。ネットワークノード１１６０が複数の別個のコンポーネント（例えば、ＢＴＳおよびＢＳＣコンポーネント）を含む特定のシナリオにおいて、別個のコンポーネントのうちの１つまたは複数をいくつかのネットワークノード間で共有することができる。例えば、単一のＲＮＣが、複数のＮｏｄｅＢを制御することができる。そのようなシナリオでは、各固有のＮｏｄｅＢおよびＲＮＣのペアが、いくつかの例では、単一の別個のネットワークノードとみなされる場合がある。いくつかの実施形態では、ネットワークノード１１６０は、複数の無線アクセス技術（ＲＡＴ）をサポートするように設定することができる。そのような実施形態において、いくつかのコンポーネントを複製することができ（例えば、異なるＲＡＴに別個のデバイス可読媒体１１８０）、いくつかのコンポーネントを再利用することができる（例えば、同じアンテナ１１６２を複数のＲＡＴによって共有することができる）。ネットワークノード１１６０は、例えば、ＧＳＭ、ＷＣＤＭＡ、ＬＴＥ、ＮＲ、ＷｉＦｉ、またはＢｌｕｅｔｏｏｔｈ無線技術等の、ネットワークノード１１６０に一体化される異なる無線技術のための様々な示されるコンポーネントの複数のセットも含むことができる。これらの無線技術は、同じまたは異なるチップまたはチップセット、およびネットワークノード１１６０内の他のコンポーネントに一体化され得る。
【００９２】
処理回路１１７０は、ネットワークノードによって提供されるものとして本明細書に説明された任意の決定、計算または類似の動作（例えば、特定の取得動作）を行うように設定される。処理回路１１７０によって実行されるこれらの動作は、例えば、取得された情報を他の情報に変換し、取得された情報もしくは変換された情報をネットワークノードに記憶された情報と比較し、かつ／または取得された情報もしくは変換された情報に基づいて１つまたは複数の動作を実行し、前記処理の結果として決定を行うことによって、処理回路１１７０によって取得される処理情報を含むことができる。
【００９３】
処理回路１１７０は、マイクロプロセッサ、コントローラ、マイクロコントローラ、中央処理ユニット、デジタル信号プロセッサ、特定用途向け集積回路、フィールドプログラマブルゲートアレイ、または任意の他の適切なコンピューティングデバイス、リソース、または、単独でもしくはデバイス可読媒体１１８０等の他のネットワークノード１１６０コンポーネントと併せてネットワークノード１１６０機能を提供するように動作可能なハードウェア、ソフトウェア、および／もしくは符号化されたロジックの組合せのうちの１つまたは複数の組合せを含むことができる。例えば、処理回路１１７０は、デバイス可読媒体１１８０にまたは処理回路１１７０内のメモリに記憶された命令を実行することができる。そのような機能は、本明細書に論考される様々な無線特徴、機能または利点のうちの任意のものを提供することを含むことができる。いくつかの実施形態では、処理回路１１７０は、システムオンチップ（ＳＯＣ）を含むことができる。
【００９４】
いくつかの実施形態では、処理回路１１７０は、無線周波数（ＲＦ）送受信機回路１１７２およびベースバンド処理回路１１７４のうちの１つまたは複数を含むことができる。いくつかの実施形態では、無線周波数（ＲＦ）送受信機回路１１７２およびベースバンド処理回路１１７４は、別個のチップ（またはチップセット）、基板、または無線ユニットおよびデジタルユニット等のユニット上に存在することができる。代替的な実施形態では、ＲＦ送受信機回路１１７２およびベースバンド処理回路１１７４の一部または全てが同じチップもしくはチップセット、ボード、またはユニット上に存在することができる。
【００９５】
特定の実施形態では、ネットワークノード、基地局、ｅＮＢまたは他のそのようなネットワークデバイスによって提供されるものとして本明細書に記載される機能のうちのいくつかまたは全ては、デバイス可読媒体１１８０、または処理回路１１７０内のメモリに記憶された命令を実行する処理回路１１７０によって実行することができる。代替的な実施形態では、有線接続方式等で別個のまたは離散したデバイス可読媒体に記憶された命令を実行することなく、機能のうちのいくつかまたは全てが処理回路１１７０によって提供されてもよい。これらの実施形態のうちの任意のものにおいて、デバイス可読ストレージ媒体上に記憶された命令を実行するか否かにかかわらず、処理回路１１７０は、説明された機能を実行するように設定することができる。そのような機能によって提供される利点は、処理回路１１７０単独に、またはネットワークノード１１６０の他のコンポーネントに限定されるものではなく、ネットワークノード１１６０によって全体として享受され、ならびに／またはエンドユーザおよび無線ネットワークによって全般に享受される。
【００９６】
デバイス可読媒体１１８０は、限定ではないが、永続ストレージ、ソリッドステートメモリ、遠隔設置メモリ、磁気媒体、光媒体、ランダムアクセスメモリ（ＲＡＭ）、リードオンリーメモリ（ＲＯＭ）、マスストレージ媒体（例えば、ハードディスク）、リムーバブルストレージ媒体（例えば、フラッシュドライブ、コンパクトディスク（ＣＤ）またはデジタルビデオディスク（ＤＶＤ））、ならびに／または、処理回路１１７０によって用いることができる情報、データおよび／もしくは命令を記憶する任意の他の揮発性もしくは不揮発性の非一時的デバイス可読および／もしくはコンピュータ実行可能メモリデバイスを含む、任意の形態の揮発性または不揮発性のコンピュータ可読メモリを含むことができる。デバイス可読媒体１１８０は、ロジック、ルール、コード、テーブル等のうちの１つまたは複数を含むコンピュータプログラム、ソフトウェア、アプリケーションを含む任意の適切な命令、データもしくは情報、および／または処理回路１１７０によって実行し、ネットワークノード１１６０によって利用することが可能な他の命令を記憶することができる。デバイス可読媒体１１８０を用いて、処理回路１１７０によって行われる任意の計算および／またはインターフェース１１９０を介して受信される任意のデータを記憶することができる。いくつかの実施形態では、処理回路１１７０およびデバイス可読媒体１１８０は、一体化されているとみなすことができる。
【００９７】
インターフェース１１９０は、ネットワークノード１１６０、ネットワーク１１０６、および／またはＷＤ１１１０間のシグナリングおよび／またはデータの有線または無線通信において用いられる。示されるように、インターフェース１１９０は、例えば有線接続を通じてネットワーク１１０６へおよびネットワーク１１０６からデータを送受信するポート／端子１１９４を含む。インターフェース１１９０は、アンテナ１１６２に、または特定の実施形態ではアンテナ１１６２の一部に結合することができる無線フロントエンド回路１１９２も含む。無線フロントエンド回路１１９２は、フィルタ１１９８および増幅器１１９６を含む。無線フロントエンド回路１１９２は、フィルタ１１９８および増幅器１１９６を含む。無線フロントエンド回路１１９２は、アンテナ１１６２および処理回路１１７０に接続することができる。無線フロントエンド回路は、アンテナ１１６２と処理回路１１７０との間で通信される信号を調整するように設定することができる。無線フロントエンド回路１１９２はデジタルデータを受信することができ、このデジタルデータは、他のネットワークノードまたはＷＤに無線接続を介して送出されることになる。無線フロントエンド回路１１９２は、フィルタ１１９８および／または増幅器１１９６の組合せを用いて、デジタルデータを、適切なチャネルおよび帯域幅パラメータを有する無線信号に変換することができる。次に、無線信号は、アンテナ１１６２を介して送信することができる。同様に、データを受信するとき、アンテナ１１６２は無線信号を収集することができ、次に、これらの無線信号は、無線フロントエンド回路１１９２によってデジタルデータに変換される。デジタルデータは処理回路１１７０に渡すことができる。他の実施形態では、インターフェースは、異なる複数のコンポーネントおよび／またはコンポーネントの異なる組合せを含むことができる。
【００９８】
特定の代替的な実施形態では、ネットワークノード１１６０は、別個の無線フロントエンド回路１１９２を含まない場合があり、代わりに、処理回路１１７０は無線フロントエンド回路を含んでもよく、別個の無線フロントエンド回路１１９２を有することなくアンテナ１１６２に接続されてもよい。同様に、いくつかの実施形態では、ＲＦ送受信機回路１１７２のうちの全てまたはいくつかは、インターフェース１１９０の一部とみなすことができる。更に他の実施形態では、インターフェース１１９０は、無線ユニット（図示せず）の一部として、１つまたは複数のポートまたは端子１１９４、無線フロントエンド回路１１９２、およびＲＦ送受信機回路１１７２を含むことができ、インターフェース１１９０は、デジタルユニット（図示せず）の一部であるベースバンド処理回路１１７４と通信することができる。
【００９９】
アンテナ１１６２は、無線信号を送信および／または受信するように設定された、１つまたは複数のアンテナまたはアンテナアレイを含むことができる。アンテナ１１６２は無線フロントエンド回路１１９０に結合することができ、データおよび／または信号を無線で送信および受信することが可能な任意のタイプのアンテナとすることができる。いくつかの実施形態では、アンテナ１１６２は、例えば、２ＧＨｚ〜６６ＧＨｚの無線信号を送信／受信するように動作可能な１つまたは複数の無指向性アンテナ、セクタアンテナまたはパネルアンテナを含むことができる。無指向性アンテナは、任意の方向において無線信号を送信／受信するのに用いることができ、セクタアンテナは、特定のエリア内のデバイスから無線信号を送信／受信するのに用いることができ、パネルアンテナは、比較的直線状の線において無線信号を送信／受信するのに用いられる見通し線アンテナとすることができる。いくつかの事例では、２つ以上のアンテナの使用は、ＭＩＭＯと呼ぶことができる。特定の実施形態では、アンテナ１１６２は、ネットワークノード１１６０と別個とすることができ、インターフェースまたはポートを通じてネットワークノード１１６０に接続可能とすることができる。
【０１００】
アンテナ１１６２、インターフェース１１９０および／または処理回路１１７０は、ネットワークノードによって実行されるものとして本明細書に記載される任意の受信動作および／または特定の取得動作を行うように設定することができる。任意の情報、データおよび／または信号は、無線デバイス、別のネットワークノードおよび／または任意の他のネットワーク機器から受信することができる。同様に、アンテナ１１６２、インターフェース１１９０および／または処理回路１１７０は、ネットワークノードによって実行されるものとして本明細書に記載される任意の送信動作を行うように設定することができる。任意の情報、データおよび／または信号は、無線デバイス、別のネットワークノードおよび／または任意の他のネットワーク機器に送信することができる。
【０１０１】
電力回路１１８７は、電力管理回路を含むかまたはこれに結合することができ、ネットワークノード１１６０のコンポーネントに、本明細書に記載の機能を実行するための電力を供給するように設定される。電力回路１１８７は、電源１１８６から電力を受信することができる。電源１１８６および／または電力回路１１８７は、それぞれのコンポーネントに適した形態で（例えば、各それぞれのコンポーネントに必要な電圧および電流レベルで）ネットワークノード１１６０の様々なコンポーネントに電力を提供するように設定することができる。電源１１８６は、電力回路１１８７および／またはネットワークノード１１６０に含まれてもよく、またはこれらの外部にあってもよい。例えば、ネットワークノード１１６０は、入力回路、または電気ケーブル等のインターフェースを介して外部電源（例えば、電気アウトレット）に接続可能とすることができ、これによって外部電源は電力回路１１８７に電源を供給する。更なる例として、電源１１８６は、電力回路１１８７に接続されるかまたは一体化されたバッテリまたはバッテリパックの形態の電源を含むことができる。バッテリは、外部電源が故障した場合のバックアップ電力を提供することができる。光起電デバイス等の他のタイプの電源も使用することができる。
【０１０２】
ネットワークノード１１６０の代替的な実施形態は、本明細書に記載の機能のうちの任意のものおよび／または本明細書に記載の主題をサポートするのに必要な任意の機能を含む、ネットワークノードの機能の特定の態様を提供する役割を果たすことができる、図１７に示すもの以外の追加のコンポーネントを含んでもよい。例えば、ネットワークノード１１６０は、ネットワークノード１１６０への情報の入力を可能にし、ネットワークノード１１６０からの情報の出力を可能にするユーザインターフェース機器を含むことができる。これは、ユーザが、ネットワークノード１１６０のための診断、維持、修理および他の管理機能を実行することを可能にすることができる。
【０１０３】
本明細書において用いられるとき、無線デバイス（ＷＤ）は、ネットワークノードおよび／または他の無線デバイスと無線で通信することが可能であり、そのように設定され、調整され、かつ／または動作可能なデバイスを指す。別段の記載がない限り、ＷＤという用語は、本明細書において、ユーザ機器（ＵＥ）と交換可能に用いることができる。無線で通信することは、電磁波、電波、赤外線波、および／または空中で情報を伝達するのに適した他のタイプの信号を用いて無線信号を送信および／または受信することを含むことができる。いくつかの実施形態では、ＷＤは、直接的な人間の対話を行うことなく情報を送信および／または受信するように設定することができる。例えば、ＷＤは、内部もしくは外部イベントによってトリガされたとき、またはネットワークからの要求に応じて、所定のスケジュールで情報をネットワークに送信するように設計することができる。ＷＤの例は、限定ではないが、スマートフォン、モバイルフォン、携帯電話、ボイスオーバーＩＰ（ＶｏＩＰ）電話、無線ローカルループフォン、デスクトップコンピュータ、携帯情報端末（ＰＤＡ）、無線カメラ、ゲームコンソールまたはデバイス、音楽ストレージデバイス、再生機器、ウェアラブル端末デバイス、無線エンドポイント、移動局、タブレット、ラップトップ、ラップトップ埋込み型機器（ＬＥＥ）、ラップトップ搭載型機器（ＬＭＥ）、スマートデバイス、無線顧客構内機器（ＣＰＥ）、車両搭載型無線端末デバイス等を含む。ＷＤは、例えば、サイドリンク通信、車両間（Ｖ２Ｖ）、車両対インフラストラクチャ（Ｖ２Ｉ）、車両対あらゆるもの（ｖｅｈｉｃｌｅ−ｔｏ−ｅｖｅｒｙｔｈｉｎｇ）（Ｖ２Ｘ）のための３ＧＰＰ規格を実施することによって、デバイスツーデバイス（Ｄ２Ｄ）通信をサポートすることができ、この場合、Ｄ２Ｄ通信デバイスと呼ぶことができる。更に別の特定の例として、モノのインターネット（ＩｏＴ）のシナリオにおいて、ＷＤは、監視および／または測定を行い、そのような監視および／または測定の結果を別のＷＤおよび／またはネットワークノードに送信するマシンまたは他のデバイスを表すことができる。ＷＤは、この場合、マシンツーマシン（Ｍ２Ｍ）デバイスである場合があり、３ＧＰＰとの関連において、ＭＴＣデバイスと呼ばれる場合もある。１つの特定の例として、ＷＤは、３ＧＰＰ狭帯域のモノのインターネット（ＮＢ−ＩｏＴ）規格を実施するＵＥとすることができる。そのようなマシンまたはデバイスの特定の例は、センサ、電力メータ等の計量デバイス、産業機械、または家庭用もしくは個人用電気機器（例えば、冷蔵庫、テレビ等）、個人用ウェアラブル（例えば、腕時計、フィットネストラッカ等）である。他のシナリオでは、ＷＤは、その動作ステータス、またはその動作に関連付けられた他の機能に関して監視および／または報告することが可能な車両または他の機器を表すことができる。上記で説明したＷＤは、無線接続のエンドポイントを表すことができ、この場合、デバイスは無線端末と呼ぶことができる。更に、上記で説明したようなＷＤはモバイルとすることができ、この場合、モバイルデバイスまたはモバイル端末と呼ばれる場合もある。
【０１０４】
示すように、無線デバイス１１１０は、アンテナ１１１１と、インターフェース１１１４と、処理回路１１２０と、デバイス可読媒体１１３０と、ユーザインターフェース機器１１３２と、補助機器１１３４と、電源１１３６と、電力回路１１３７とを含むことができる。ＷＤ１１１０は、いくつか例を挙げると、例えば、ＧＳＭ、ＷＣＤＭＡ、ＬＴＥ、ＮＲ、ＷｉＦｉ、ＷｉＭＡＸ、ＮＢ−ＩｏＴまたはＢｌｕｅｔｏｏｔｈ無線技術等の、ＷＤ１１１０によってサポートされる様々な無線技術について、示されるコンポーネントのうちの１つまたは複数の、複数のセットを含むことができる。これらの無線技術は、ＷＤ１１１０内のコンポーネントと同じまたは異なるチップまたはチップセットに一体化することができる。
【０１０５】
アンテナ１１１１は、無線信号を送信および／または受信するように設定され、インターフェース１１１４に接続された、１つまたは複数のアンテナまたはアンテナアレイを含むことができる。特定の代替的な実施形態において、アンテナ１１１１は、ＷＤ１１１０と別個にすることができ、インターフェースまたはポートを通じてＷＤ１１１０に接続可能とすることができる。アンテナ１１１１、インターフェース１１１４および／または処理回路１１２０は、本明細書においてＷＤによって実行されるものとして説明される任意の受信または送信動作を行うように設定することができる。任意の情報、データおよび／または信号を、ネットワークノードおよび／または別のＷＤから受信することができる。いくつかの実施形態では、無線フロントエンド回路および／またはアンテナ１１１１はインターフェースとみなすことができる。
【０１０６】
示されるように、インターフェース１１１４は、無線フロントエンド回路１１１２およびアンテナ１１１１を含む。無線フロントエンド回路１１１２は、１つまたは複数のフィルタ１１１８および増幅器１１１６を含む。無線フロントエンド回路１１１４は、アンテナ１１１１および処理回路１１２０に接続され、アンテナ１１１１と処理回路１１２０との間で通信される信号を調整するように設定される。無線フロントエンド回路１１１２は、アンテナ１１１１に結合されてもよく、またはアンテナ１１１１の一部であってもよい。いくつかの実施形態では、ＷＤ１１１０は、別個の無線フロントエンド回路１１１２を含まない場合があり、むしろ、処理回路１１２０が無線フロントエンド回路を含む場合があり、アンテナ１１１１に接続される場合がある。同様に、いくつかの実施形態では、ＲＦ送受信機回路１１２２のうちのいくつかまたは全てをインターフェース１１１４の一部とみなすことができる。無線フロントエンド回路１１１２は、デジタルデータを受信することができ、このデジタルデータは、無線接続を介して他のネットワークノードまたはＷＤに送出されることになる。無線フロントエンド回路１１１２は、フィルタ１１１８および／または増幅器１１１６の組合せを用いて、デジタルデータを、適切なチャネルおよび帯域幅パラメータを有する無線信号に変換することができる。次に、無線信号は、アンテナ１１１１を介して送信することができる。同様に、データを受信するとき、アンテナ１１１１は無線信号を収集することができ、次に、これらの無線信号は、無線フロントエンド回路１１１２によってデジタルデータに変換される。デジタルデータは処理回路１１２０に渡すことができる。他の実施形態では、インターフェースは、異なるコンポーネントおよび／またはコンポーネントの異なる組合せを含むことができる。
【０１０７】
処理回路１１２０は、マイクロプロセッサ、コントローラ、マイクロコントローラ、中央処理ユニット、デジタル信号プロセッサ、特定用途向け集積回路、フィールドプログラマブルゲートアレイ、もしくは任意の他の適切なコンピューティングデバイス、リソースのうちの１つまたは複数の組合せ、または、単独でもしくはデバイス可読媒体１１３０等の他のＷＤ１１１０コンポーネントと併せてＷＤ１１１０機能を提供するように動作可能な、ハードウェア、ソフトウェアおよび／もしくは符号化ロジックの組合せを含むことができる。そのような機能は、本明細書に論考される様々な無線特徴または利点のうちの任意のものを提供することを含むことができる。例えば、処理回路１１２０は、本明細書に開示される機能を提供するためにデバイス可読媒体１１３０にまたは処理回路１１２０内のメモリに記憶された命令を実行することができる。
【０１０８】
示されるように、処理回路１１２０は、ＲＦ送受信機回路１１２２、ベースバンド処理回路１１２４およびアプリケーション処理回路１１２６のうちの１つまたは複数を含むことができる。他の実施形態では、処理回路は、異なる複数のコンポーネントおよび／またはコンポーネントの異なる組合せを含むことができる。特定の実施形態では、ＷＤ１１１０の処理回路１１２０は、ＳＯＣを含むことができる。いくつかの実施形態では、ＲＦ送受信機回路１１２２、ベースバンド処理回路１１２４およびアプリケーション処理回路１１２６は、別個のチップまたはチップセット上にあってもよい。代替的な実施形態では、ベースバンド処理回路１１２４およびアプリケーション処理回路１１２６の一部または全てを組み合わせて１つのチップまたはチップセットにしてもよく、ＲＦ送受信機回路１１２２は、別個のチップまたはチップセット上にあってもよい。更に代替的な実施形態では、ＲＦ送受信機回路１１２２およびベースバンド処理回路１１２４の一部または全てが同じチップまたはチップセット上にあってもよく、アプリケーション処理回路１１２６は、別個のチップまたはチップセット上にあってもよい。更に他の代替的な実施形態では、ＲＦ送受信機回路１１２２、ベースバンド処理回路１１２４およびアプリケーション処理回路１１２６の一部または全てが、同じチップまたはチップセットにおいて組み合わされていてもよい。いくつかの実施形態では、ＲＦ送受信機回路１１２２は、インターフェース１１１４の一部分とすることができる。ＲＦ送受信機回路１１２２は、処理回路１１２０のためのＲＦ信号を調整することができる。
【０１０９】
特定の実施形態において、ＷＤによって実行されるものとして本明細書において記載されている機能のうちのいくつかまたは全ては、デバイス可読媒体１１３０上に記憶された命令を実行する処理回路１１２０によって提供することができ、このデバイス可読媒体１１３０は、特定の実施形態では、コンピュータ可読ストレージ媒体とすることができる。代替的な実施形態では、有線方式等で別個のまたは離散したデバイス可読ストレージ媒体上に記憶された命令を実行することなく、機能のうちのいくつかまたは全てが処理回路１１２０によって提供されてもよい。これらの特定の実施形態のうちの任意のものにおいて、デバイス可読ストレージ媒体上に記憶された命令を実行するか否かにかかわらず、処理回路１１２０は、説明された機能を実行するように設定することができる。そのような機能によって提供される利点は、処理回路１１２０単独に、またはＷＤ１１１０の他のコンポーネントに限定されるものではなく、ＷＤ１１１０によって全体として享受され、ならびに／またはエンドユーザおよび無線ネットワークによって全般に享受される。
【０１１０】
処理回路１１２０は、本明細書においてＷＤによって実行されるものとして記載された任意の決定、計算または類似の動作（例えば、特定の取得動作）を行うように設定することができる。処理回路１１２０によって実行されるときのこれらの動作は、例えば、取得された情報を他の情報に変換し、取得された情報または変換された情報をＷＤ１１１０によって記憶された情報と比較し、かつ／または取得された情報もしくは変換された情報に基づいて１つまたは複数の動作を実行し、前記処理の結果として決定を行うことによって、処理回路１１２０によって取得される処理情報を含むことができる。
【０１１１】
デバイス可読媒体１１３０は、ロジック、ルール、コード、テーブル等のうちの１つまたは複数を含むコンピュータプログラム、ソフトウェア、アプリケーション、および／または処理回路１１２０によって実行することが可能な他の命令を記憶するように動作可能とことができる。デバイス可読媒体１１３０は、コンピュータメモリ（例えば、ランダムアクセスメモリ（ＲＡＭ）またはリードオンリーメモリ（ＲＯＭ））、マスストレージ媒体（例えば、ハードディスク）、リムーバブルストレージ媒体（例えば、コンパクトディスク（ＣＤ）またはデジタルビデオディスク（ＤＶＤ））、ならびに／または、処理回路１１２０によって用いることができる情報、データおよび／もしくは命令を記憶する任意の他の揮発性もしくは不揮発性の非一時的デバイス可読および／もしくはコンピュータ実行可能メモリデバイスを含むことができる。いくつかの実施形態では、処理回路１１２０およびデバイス可読媒体１１３０は、一体化されているとみなすことができる。
【０１１２】
ユーザインターフェース機器１１３２は、人間のユーザがＷＤ１１１０とインタラクトすることを可能にするコンポーネントを提供することができる。そのようなインタラクションは、視覚、聴覚、触覚等の多くの形態をとることができる。ユーザインターフェース機器１１３２は、ユーザへの出力を生成し、ユーザがＷＤ１１１０に入力を提供することを可能にするように動作可能であり得る。インタラクションのタイプは、ＷＤ１１１０に設置されたユーザインターフェース機器１１３２のタイプに依拠して変動する場合がある。例えば、ＷＤ１１１０がスマートフォンである場合、インタラクションはタッチスクリーンを介したものであり得、ＷＤ１１１０がスマートメータである場合、インタラクションは、使用量（例えば使用ガロン数）を提供するスクリーン、または可聴アラート（例えば煙が検出される場合）を提供するスピーカを通じたものであり得る。ユーザインターフェース機器１１３２は、入力インターフェース、デバイスおよび回路と、出力インターフェース、デバイスおよび回路とを含むことができる。ユーザインターフェース機器１１３２は、ＷＤ１１１０への情報の入力を可能にするように設定され、処理回路１１２０が入力情報を処理することを可能にするために処理回路１１２０に接続される。ユーザインターフェース機器１１３２は、例えば、マイクロフォン、近接性または他のセンサ、キー／ボタン、タッチディスプレイ、１つまたは複数のカメラ、ＵＳＢポートまたは他の入力回路を含むことができる。ユーザインターフェース機器１１３２は、ＷＤ１１１０からの情報の出力を可能にし、処理回路１１２０がＷＤ１１１０からの情報を出力することを可能にするようにも設定される。ユーザインターフェース機器１１３２は、例えば、スピーカ、ディスプレイ、振動回路、ＵＳＢポート、ヘッドフォンインターフェースまたは他の出力回路を含むことができる。ユーザインターフェース機器１１３２の１つまたは複数の入力および出力インターフェース、デバイスおよび回路を用いて、ＷＤ１１１０は、エンドユーザおよび／または無線ネットワークと通信し、これらが本明細書に記載の機能から利益を受けることを可能にすることができる。
【０１１３】
補助機器１１３４は、通常、ＷＤによって実行されない場合がある、より特殊な機能を提供するように動作可能である。これは、様々な目的で測定を行うための専用センサ、有線通信等の更なるタイプの通信のためのインターフェース等を含むことができる。補助機器１１３４のコンポーネントを含めることおよびこのコンポーネントのタイプは、実施形態および／またはシナリオに依拠して変動し得る。
【０１１４】
電源１１３６は、いくつかの実施形態では、バッテリまたはバッテリパックの形態をとる場合がある。外部電源（例えば、電気アウトレット）、光起電デバイス、または電池等の他のタイプの電源も用いることができる。ＷＤ１１１０は、本明細書に記載されるかまたは示される任意の機能を実行するために電源１１３６からの電力を必要とするＷＤ１１１０の様々な部分に、電源１１３６から電力を送達するための電力回路１１３７も更に備えることができる。特定の実施形態では、電力回路１１３７は、電力管理回路を含むことができる。電力回路１１３７は、更にまたは代替的に、外部電源から電力を受け取るように動作可能とすることができ、その場合、ＷＤ１１１０は、入力回路、または電力ケーブル等のインターフェースを介して外部電源（電気アウトレット等）に接続可能とすることができる。電力回路１１３７は、特定の実施形態では、外部電源から電源１１３６に電力を送達するように動作可能でもあり得る。これは、例えば、電源１１３６の充電のためであり得る。電力回路１１３７は、電源１１３６からの電力に対し任意のフォーマット設定、変換または他の変更を行い、電力が供給されるＷＤ１１１０のそれぞれのコンポーネントに適した電力を生成することができる。
【０１１５】
図１８は、本明細書に記載の様々な態様によるＵＥの１つの実施形態を示す。本明細書において用いられるとき、ユーザ機器またはＵＥは、必ずしも、関連デバイスを所有および／または操作する人間のユーザの意味でのユーザを有しない場合がある。代わりに、ＵＥは、人間のユーザへの販売または人間のユーザによる動作が意図されているが、特定の人間のユーザに関連付けられていない場合があるか、または最初は関連付けられていないデバイス（例えば、スマートスプリンクラーコントローラ）を表す場合がある。代替的に、ＵＥは、エンドユーザへの販売またはエンドユーザによる動作が意図されていないが、ユーザの利益に関連し得るかまたはそのために動作し得るデバイス（例えば、スマートパワーメータ）を表す場合がある。ＵＥ１２２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって識別される任意のＵＥとすることができる。ＵＥ１２００は、図１８に示されているように、第３世代パートナーシッププロジェクト（３ＧＰＰ）のＧＳＭ、ＵＭＴＳ、ＬＴＥおよび／または５Ｇ規格等の、３ＧＰＰによって公布された１つまたは複数の通信規格に従う通信のために設定されたＷＤの１つの例である。上述したように、ＷＤおよびＵＥという用語は、交換可能に用いることができる。したがって、図１８はＵＥであるが、本明細書において論考されるコンポーネントはＷＤに等しく適用可能であり、逆もまた同様である。
【０１１６】
図１８において、ＵＥ１２００は、入出力インターフェース１２０５、無線周波数（ＲＦ）インターフェース１２０９、ネットワーク接続インターフェース１２１１、ランダムアクセスメモリ（ＲＡＭ）１２１７、リードオンリーメモリ（ＲＯＭ）１２１９およびストレージ媒体１２２１等を含むメモリ１２１５、通信サブシステム１２３１、電源１２３３および／もしくは任意の他のコンポーネント、またはこれらの任意の組合せに作動的に連結される処理回路１２０１を含む。ストレージ媒体１２２１は、オペレーティングシステム１２２３、アプリケーションプログラム１２２５およびデータ１２２７を含む。他の実施形態において、ストレージ媒体１２２１は、他の類似のタイプの情報を含むことができる。特定のＵＥは、図１８に示すコンポーネントの全て、またはコンポーネントのサブセットのみを利用することができる。コンポーネント間の統合レベルは、ＵＥ間で変動する場合がある。更に、特定のＵＥは、複数のプロセッサ、メモリ、送受信機、送信機、受信機等のコンポーネントの複数のインスタンスを含むことができる。
【０１１７】
図１８において、処理回路１２０１は、コンピュータ命令およびデータを処理するように設定することができる。処理回路１２０１は、（例えば、ディスクリートロジック、ＦＰＧＡ、ＡＳＩＣ等における）１つまたは複数のハードウェア実施状態マシン等の、メモリ内のマシン可読コンピュータプログラムとして記憶されたマシン命令を実行するように動作可能な任意の連続状態マシン；適切なファームウェアと共にプログラマブルロジック；適切なソフトウェアと共に、マイクロプロセッサまたはデジタル信号プロセッサ（ＤＳＰ）等の１つまたは複数のプログラム内蔵方式汎用プロセッサ；または上記の任意の組合せを実施するように設定することができる。例えば、処理回路１２０１は、２つの中央処理ユニット（ＣＰＵ）を含むことができる。データは、コンピュータによる使用に適した形態の情報とすることができる。
【０１１８】
示される実施形態において、入出力インターフェース１２０５は、入力デバイス、出力デバイス、または入力および出力デバイスへの通信インターフェースを提供するように設定することができる。ＵＥ１２００は、入出力インターフェース１２０５を介して出力デバイスを用いるように設定することができる。出力デバイスは、入力デバイスと同じタイプのインターフェースポートを用いることができる。例えば、ＵＳＢポートを用いて、ＵＥ１２００への入力およびＵＥ１２００への出力を提供することができる。出力デバイスは、スピーカ、サウンドカード、ビデオカード、ディスプレイ、モニタ、プリンタ、アクチュエータ、エミッタ、スマートカード、別の出力デバイス、またはこれらの任意の組合せとすることができる。ＵＥ１２００は、入力デバイスを用いて、入出力インターフェース１２０５を介してユーザがＵＥ１２００内に情報を捕捉することを可能にするように設定することができる。入力デバイスは、タッチセンシティブまたはプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含むことができる。プレゼンスセンシティブディスプレイは、ユーザからの入力を検知する容量性または抵抗性タッチセンサを含むことができる。センサは、例えば、加速度計、ジャイロスコープ、傾きセンサ、力センサ、磁力計、光センサ、近接センサ、別の類似のセンサ、またはこれらの任意の組合せを含むことができる。例えば、入力デバイスは、加速度計、磁力計、デジタルカメラ、マイクロフォンおよび光センサを含むことができる。
【０１１９】
図１８において、ＲＦインターフェース１２０９は、送信機、受信機およびアンテナ等のＲＦコンポーネントへの通信インターフェースを提供するように設定することができる。ネットワーク接続インターフェース１２１１は、ネットワーク１２４３ａへの通信インターフェースを提供するように設定することができる。ネットワーク１２４３ａは、ローカルエリアネットワーク（ＬＡＮ）、広域ネットワーク（ＷＡＮ）、コンピュータネットワーク、無線ネットワーク、電気通信ネットワーク、別の類似のネットワークまたはこれらの任意の組合せ等の有線および／または無線ネットワークを包含することができる。例えば、ネットワーク１２４３ａはＷｉ−Ｆｉネットワークを含むことができる。ネットワーク接続インターフェース１２１１は、Ｅｔｈｅｒｎｅｔ、ＴＣＰ／ＩＰ、ＳＯＮＥＴ、ＡＴＭ等の１つまたは複数の通信プロトコルに従って通信ネットワークを介して１つまたは複数の他のデバイスと通信するのに用いられる受信機および送信機インターフェースを含むように設定することができる。ネットワーク接続インターフェース１２１１は、通信ネットワークリンク（例えば、光、電気等）に適切な受信機および送信機機能を実施することができる。送信機および受信機機能は、回路コンポーネント、ソフトウェアもしくはファームウェアを共有することができるか、または代替的に別個に実施されてもよい。
【０１２０】
ＲＡＭ１２１７は、バス１２０２を介して処理回路１２０１とインターフェースし、オペレーティングシステム、アプリケーションプログラムおよびデバイスドライバ等のソフトウェアプログラムの実行中にデータまたはコンピュータ命令のストレージまたはキャッシュを提供するように設定することができる。ＲＯＭ１２１９は、コンピュータ命令またはデータを処理回路１２０１に提供するように設定することができる。例えば、ＲＯＭ１２１９は、基本入力および出力（Ｉ／Ｏ）、スタートアップ、または不揮発性メモリに記憶されたキーボードからのキーストロークの受信等の基本システム機能のための不変低レベルシステムコードまたはデータを記憶するように設定することができる。ストレージ媒体１２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジまたはフラッシュドライブ等のメモリを含むように設定することができる。１つの例では、ストレージ媒体１２２１は、オペレーティングシステム１２２３、ウェブブラウザアプリケーション等のアプリケーションプログラム１２２５、ウィジェットもしくはガジェットエンジンまたは別のアプリケーション、およびデータファイル１２２７を含むように設定することができる。ストレージ媒体１２２１は、ＵＥ１２００による使用のために、多岐にわたる様々なオペレーティングシステム、またはオペレーティングシステムの組合せのうちの任意のものを記憶することができる。
【０１２１】
ストレージ媒体１２２１は、独立ディスクの冗長アレイ（ＲＡＩＤ）、フロッピーディスク、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者アイデンティティモジュールまたはリムーバブルユーザアイデンティティ（ＳＩＭ／ＲＵ）モジュール等のスマートカードメモリ、他のメモリ、またはこれらの任意の組合せ等の複数の物理ドライブユニットを含むように設定することができる。ストレージ媒体１２２１は、データをオフロードまたはアップロードするために、ＵＥ１２００が、一時的メモリ媒体または非一時的メモリ媒体に記憶された、コンピュータ実行可能命令、アプリケーションプログラム等にアクセスすることを許可することができる。通信システムを利用するもの等の製造品を、ストレージ媒体１２２１に有形に埋め込むことができる。ストレージ媒体は、デバイス可読媒体を含むことができる。
【０１２２】
図１８において、処理回路１２０１は、通信サブシステム１２３１を用いてネットワーク１２４３ｂと通信するように設定することができる。ネットワーク１２４３ａおよびネットワーク１２４３ｂは、１つまたは複数の同じネットワークまたは異なるネットワークとすることができる。通信サブシステム１２３１は、ネットワーク１２４３ｂと通信するのに用いられる１つまたは複数の送受信機を含むように設定することができる。例えば、通信サブシステム１２３１は、ＩＥＥＥ８０２．１２、ＣＤＭＡ、ＷＣＤＭＡ、ＧＳＭ、ＬＴＥ、ＵＴＲＡＮ、ＷｉＭａｘ等のような１つまたは複数の通信プロトコルに従って、無線アクセスネットワーク（ＲＡＮ）の別のＷＤ、ＵＥまたは基地局等の、無線通信が可能な別のデバイスの１つまたは複数のリモート送受信機と通信するのに用いられる１つまたは複数の送受信機を含むように設定することができる。各送受信機は、それぞれ、ＲＡＮリンクに適した送信機機能または受信機機能（例えば周波数配分等）を実施するための送信機１２３３および／または受信機１２３５を含むことができる。更に、各送受信機の送信機１２３３および受信機１２３５は、回路コンポーネント、ソフトウェアもしくはファームウェアを共有してもよく、または代替的に、別個に実施されてもよい。
【０１２３】
示される実施形態では、通信サブシステム１２３１の通信機能は、データ通信、ボイス通信、マルチメディア通信、Ｂｌｕｅｔｏｏｔｈ等の短距離通信、近距離通信、位置を特定するためのグローバルポジショニングシステム（ＧＰＳ）の使用等の位置ベースの通信、別の同様の通信機能、またはこれらの任意の組合せを含むことができる。例えば、通信サブシステム１２３１は、セルラ通信、Ｗｉ−Ｆｉ通信、Ｂｌｕｅｔｏｏｔｈ通信およびＧＰＳ通信を含むことができる。ネットワーク１２４３ｂは、ローカルエリアネットワーク（ＬＡＮ）、広域ネットワーク（ＷＡＮ）、コンピュータネットワーク、無線ネットワーク、電気通信ネットワーク、別の同様のネットワーク、またはこれらの任意の組合せ等の有線および／または無線ネットワークを包含することができる。例えば、ネットワーク１２４３ｂは、セルラネットワーク、Ｗｉ−Ｆｉネットワークおよび／または近距離場ネットワークとすることができる。電源１２１３は、ＵＥ１２００のコンポーネントに交流（ＡＣ）または直流（ＤＣ）電力を提供するように設定することができる。
【０１２４】
本明細書に記載の特徴、利点および／または機能は、ＵＥ１２００のコンポーネントのうちの１つにおいて実施されてもよく、またはＵＥ１２００の複数のコンポーネントにわたって分割されてもよい。更に、本明細書に記載の特徴、利点および／または機能は、ハードウェア、ソフトウェアまたはファームウェアの任意の組合せで実施することができる。１つの例では、通信サブシステム１２３１は、本明細書に記載のコンポーネントのうちの任意のものを含むように設定することができる。更に、処理回路１２０１は、バス１２０２を通じて、そのようなコンポーネントのうちの任意のものと通信するように設定することができる。別の例では、そのようなコンポーネントのうちの任意のものは、処理回路１２０１によって実行されると、本明細書に記載の対応する機能を実行するメモリに記憶されたプログラム命令によって表すことができる。別の例では、そのようなコンポーネントのうちの任意のものの機能は、処理回路１２０１と通信サブシステム１２３１との間で分割することができる。別の例では、そのようなコンポーネントのうちの任意のものの計算集約的でない機能をソフトウェアまたはファームウェアで実施し、計算集約的機能をハードウェアで実施することができる。
【０１２５】
図１９は、いくつかの実施形態によって実施される機能を仮想化することができる仮想化環境１３００を示す概略ブロック図である。この関連において、仮想化とは、ハードウェアプラットフォーム、ストレージデバイスおよびネットワーキングリソースを仮想化することを含むことができる装置またはデバイスの仮想バージョンの作成を意味する。本明細書において用いられるとき、仮想化は、ノード（例えば、仮想化された基地局または仮想化された無線アクセスノード）、またはデバイス（例えば、ＵＥ、無線デバイスまたは任意の他のタイプの通信デバイス）もしくはそのコンポーネントに適用することができ、機能のうちの少なくとも一部分が１つまたは複数の仮想コンポーネントとして（例えば、１つもしくは複数のネットワークにおいて１つもしくは複数の物理的処理ノード上で実行される、１つまたは複数のアプリケーション、コンポーネント、機能、仮想マシンまたはコンテナを介して）実施される実施態様に関する。
【０１２６】
いくつかの実施形態では、本明細書に記載の機能のうちのいくつかまたは全ては、ハードウェアノード１３３０のうちの１つまたは複数によってホストされる１つまたは複数の仮想環境１３００において実施される１つまたは複数の仮想マシンによって実行される仮想コンポーネントとして実施することができる。更に、仮想ノードが無線アクセスノードでないか、または無線接続性（例えばコアネットワークノード）を必要としない実施形態では、このとき、ネットワークノードは完全に仮想化することができる。
【０１２７】
機能は、本明細書に開示される実施形態のうちのいくつかの特徴、機能および／または利点のうちのいくつかを実施するように動作可能な１つまたは複数のアプリケーション１３２０（代替的に、ソフトウェアインスタンス、仮想機器、ネットワーク機能、仮想ノード、仮想ネットワーク機能等と呼ばれ得る）によって実施することができる。アプリケーション１３２０は、処理回路１３６０およびメモリ１３９０を含むハードウェア１３３０を提供する仮想化環境１３００において実行される。メモリ１３９０は、処理回路１３６０によって実行可能な命令１３９５を含み、これによって、アプリケーション１３２０は、本明細書に開示される特徴、利点および／または機能のうちの１つまたは複数を提供するように動作可能である。
【０１２８】
仮想化環境１３００は、民生（ＣＯＴＳ）プロセッサ、専用の特定用途向け集積回路（ＡＳＩＣ）、またはデジタルもしくはアナログハードウェアコンポーネントもしくは専用プロセッサを含む任意の他のタイプの処理回路とすることができる、１つまたは複数のプロセッサまたは処理回路１３６０のセットを含む汎用または専用ネットワークハードウェアデバイス１３３０を含む。各ハードウェアデバイスは、処理回路１３６０によって実行される命令１３９５またはソフトウェアを一時的に記憶するための非持続性メモリとすることができるメモリ１３９０−１を含むことができる。各ハードウェアデバイスは、物理的ネットワークインターフェース１３８０を含む、ネットワークインターフェースカードとしても知られる１つまたは複数のネットワークインターフェースコントローラ（ＮＩＣ）１３７０を含むことができる。各ハードウェアデバイスは、処理回路１３６０によって実行可能なソフトウェア１３９５および／または命令が記憶された非一時的持続性マシン可読ストレージ媒体１３９０−２も含むことができる。ソフトウェア１３９５は、１つまたは複数の仮想化層１３５０（ハイパーバイザとも呼ばれる）をインスタンス化するためのソフトウェア、仮想マシン１３４０を実行するためのソフトウェア、および本明細書に記載のいくつかの実施形態に関係して説明した機能、特徴および／または利点を実行することを可能にするソフトウェアを含む、任意のタイプのソフトウェアを含むことができる。
【０１２９】
仮想マシン１３４０は、仮想処理、仮想メモリ、仮想ネットワーキングまたはインターフェース、および仮想ストレージを含み、対応する仮想化層１３５０またはハイパーバイザによって実行することができる。仮想機器１３２０のインスタンスの異なる実施形態は、仮想マシン１３４０のうちの１つまたは複数において実施することができ、実施は、様々な方式で行うことができる。
【０１３０】
動作中、処理回路１３６０は、ハイパーバイザまたは仮想化層１３５０をインスタンス化するためのソフトウェア１３９５を実行し、これは場合によっては、仮想マシンモニタ（ＶＭＭ）と呼ばれる場合がある。仮想化層１３５０は、仮想マシン１３４０に対しネットワーキングハードウェアのように見える仮想オペレーティングプラットフォームを提示することができる。
【０１３１】
図１９に示すように、ハードウェア１３３０は、汎用または専用コンポーネントを有するスタンドアロンネットワークノードとすることができる。ハードウェア１３３０は、アンテナ１３２２５を含むことができ、仮想化を介していくつかの機能を実施することができる。代替的に、ハードウェア１３３０は、（例えば、データセンタまたは顧客構内機器（ＣＰＥ）におけるような）ハードウェアのより大きなクラスタの一部とすることができ、ここで、多くのハードウェアノードは協働し、管理およびオーケストレーション（ＭＡＮＯ）１３１００を介して管理される。ＭＡＮＯは、中でも、アプリケーション１３２０のライフサイクル管理を監督する。
【０１３２】
ハードウェアの仮想化は、いくつかの状況では、ネットワーク機能仮想化（ＮＦＶ）と呼ばれる。ＮＦＶを用いて、多くのネットワーク機器タイプを、業界標準の高容量サーバハードウェア、物理的スイッチおよび物理的ストレージに統合することができる。これは、データセンタおよび顧客構内機器内に配置することができる。
【０１３３】
ＮＦＶとの関連において、仮想マシン１３４０は、プログラムを、これらが物理的非仮想化マシン上で実行されているかのように実行する、物理的マシンのソフトウェア実施とすることができる。仮想マシン１３４０の各々、およびその仮想マシンを実行するハードウェア１３３０の一部は、その仮想マシンに専用のハードウェアであれ、かつ／またはこの仮想マシンによって、複数の仮想マシン１３４０のうちの他のものと共有されるハードウェアであれ、別個の仮想ネットワーク要素（ＶＮＥ）を形成する。
【０１３４】
更に、ＮＦＶとの関連において、仮想ネットワーク機能（ＶＮＦ）は、ハードウェアネットワーキングインフラストラクチャ１３３０の上位にある１つまたは複数の仮想マシン１３４０において実行される特定のネットワーク機能を扱う役割を果たし、図１９におけるアプリケーション１３２０に対応する。
【０１３５】
いくつかの実施形態では、各々が１つまたは複数の送信機１３２２０および１つまたは複数の受信機１３２１０を含む１つまたは複数の無線ユニット１３２００を、１つまたは複数のアンテナ１３２２５に結合することができる。無線ユニット１３２００は、１つまたは複数の適切なネットワークインターフェースを介してハードウェアノード１３３０と直接通信することができ、これを仮想コンポーネントと組み合わせて用いて、仮想ノードに、無線アクセスノードまたは基地局等の無線機能を提供することができる。
【０１３６】
いくつかの実施形態では、いくつかのシグナリングは、ハードウェアノード１３３０と無線ユニット１３２００との間の通信に代替的に用いられ得る制御システム１３２３０の使用により行うことができる。
【０１３７】
図２０は、いくつかの実施形態による、中間ネットワークを介してホストコンピュータに接続される電気通信ネットワークを示す。特に、図２０を参照すると、一実施形態によれば、通信システムは、３ＧＰＰタイプのセルラネットワーク等の電気通信ネットワーク１４１０を含み、これは、無線アクセスネットワーク等のアクセスネットワーク１４１１と、コアネットワーク１４１４とを含む。アクセスネットワーク１４１１は、各々が対応するカバレッジエリア１４１３ａ、１４１３ｂ、１４１３ｃを定義する、ＮＢ、ｅＮＢ、ｇＮＢまたは他のタイプの無線アクセスポイント等の複数の基地局１４１２ａ、１４１２ｂ、１４１２ｃを含む。各基地局１４１２ａ、１４１２ｂ、１４１２ｃは、有線または無線接続１４１５を通じてコアネットワーク１４１４に接続可能である。カバレッジエリア１４１３ｃ内に位置する第１のＵＥ１４９１は、対応する基地局１４１２ｃに無線で接続されるか、またはこの基地局によってページングされるように設定される。カバレッジエリア１４１３ａ内の第２のＵＥ１４９２は、対応する基地局１４１２ａに無線で接続可能である。この例には複数のＵＥ１４９１、１４９２が示されているが、開示される実施形態は、単一のＵＥがカバレッジエリア内にある状況、または単一のＵＥが対応する基地局１４１２に接続している状況にも等しく適用可能である。
【０１３８】
電気通信ネットワーク１４１０自体がホストコンピュータ１４３０に接続される。これは、スタンドアロンサーバのハードウェアおよび／もしくはソフトウェア、クラウド実施サーバ、分散サーバにおいて、またはサーバファーム内の処理リソースとして具現化することができる。ホストコンピュータ１４３０は、サービスプロバイダの所有もしくは制御下にあってもよく、またはサービスプロバイダによってもしくはサービスプロバイダの代わりに動作してもよい。電気通信ネットワーク１４１０とホストコンピュータ１４３０との間の接続１４２１および１４２２は、コアネットワーク１４１４からホストコンピュータ１４３０に直接延びてもよく、またはオプションの中間ネットワーク１４２０を介してもよい。中間ネットワーク１４２０は、パブリックネットワーク、プライベートネットワーク、またはホストされたネットワークのうちの１つ、または２つ以上の組合せとすることができ、中間ネットワーク１４２０は、存在する場合、バックボーンネットワークまたはインターネットとすることができ、特に、中間ネットワーク１４２０は、２つ以上のサブネットワーク（図示せず）を含むことができる。
【０１３９】
図２０の通信システムは、全体として、接続されたＵＥ１４９１、１４９２とホストコンピュータ１４３０との間の接続性を可能にする。接続性は、オーバーザトップ（ＯＴＴ）接続１４５０として記載することができる。ホストコンピュータ１４３０および接続されたＵＥ１４９１、１４９２は、アクセスネットワーク１４１１、コアネットワーク１４１４、任意の中間ネットワーク１４２０、および可能な更なるインフラストラクチャ（図示せず）を仲介として用いて、ＯＴＴ接続１４５０を介してデータおよび／またはシグナリングを通信するように設定される。ＯＴＴ接続１４５０は、ＯＴＴ接続１４５０が通過する、参加している通信デバイスが、アップリンク通信およびダウンリンク通信のルーティングに気づかないという意味で、トランスペアレントであり得る。例えば、基地局１４１２は、ホストコンピュータ１４３０から発信されたデータが、接続されたＵＥ１４９１に転送される（例えば、ハンドオーバーされる）、到来するダウンリンク通信の過去のルーティングに関して通知されないか、または通知される必要がない場合がある。同様に、基地局１４１２は、ＵＥ１４９１からホストコンピュータ１４３０に向けて発信される出力アップリンク通信の未来のルーティングを知る必要がない。
【０１４０】
ここで、実施形態による、前の段落で検討された、ＵＥ、基地局およびホストコンピュータの例示的な実施態様が図２１を参照して説明される。図２１は、いくつかの実施形態による、部分的に無線の接続を通じて基地局を介してユーザ機器と通信するホストコンピュータを示す。通信システム１５００において、ホストコンピュータ１５１０は、通信システム１５００の異なる通信のインターフェースとの有線接続または無線接続をセットアップし維持するように設定された通信インターフェース１５１６を含むハードウェア１５１５を備える。ホストコンピュータ１５１０は、記憶および／または処理機能を有することができる処理回路１５１８を更に含む。特に、処理回路１５１８は、命令を実行するように適合された、１つまたは複数のプログラマブルプロセッサ、特定用途向け集積回路、フィールドプログラマブルゲートアレイまたはこれらの組合せ（図示せず）を含むことができる。ホストコンピュータ１５１０は、ホストコンピュータ１５１０に記憶されるかまたはホストコンピュータ１５１０によってアクセス可能であり、処理回路１５１８によって実行可能なソフトウェア１５１１を更に含む。ソフトウェア１５１１は、ホストアプリケーション１５１２を含む。ホストアプリケーション１５１２は、ＵＥ１５３０およびホストコンピュータ１５１０において終端するＯＴＴ接続１５５０を介して接続するＵＥ１５３０等のリモートユーザにサービスを提供するように動作可能であり得る。リモートユーザにサービスを提供する際、ホストアプリケーション１５１２は、ＯＴＴ接続１５５０を用いて送信されるユーザデータを提供することができる。
【０１４１】
通信システム１５００は、電気通信システムにおいて提供される基地局１５２０を更に含み、基地局１５２０は、この基地局がホストコンピュータ１５１０およびＵＥ１５３０と通信することを可能にするハードウェア１５２５を備える。ハードウェア１５２５は、通信システム１５００の異なる通信デバイスのインターフェースとの有線または無線接続をセットアップし、維持するための通信インターフェース１５２６と、基地局１５２０によってサービングされているカバレッジエリア（図２１に示さず）内に位置するＵＥ１５３０との少なくとも無線接続１５７０をセットアップし、維持するための無線インターフェース１５２７とを含むことができる。通信インターフェース１５２６は、ホストコンピュータ１５１０への接続１５６０を容易にするように設定することができる。接続１５６０は、直接であってもよく、または、電気通信システムのコアネットワーク（図２１に示さず）および／もしくは電気通信システム外の１つもしくは複数の中間ネットワークを通過してもよい。示される実施形態では、基地局１５２０のハードウェア１５２５は、処理回路１５２８を更に含み、処理回路１５２８は、命令を実行するように適合された、１つまたは複数のプログラマブルプロセッサ、特定用途向け集積回路、フィールドプログラマブルゲートアレイまたはこれらの組合せ（図示せず）を含むことができる。基地局１５２０は、内部に記憶されるか、または外部接続を介してアクセス可能なソフトウェア１５２１を更に有する。
【０１４２】
通信システム１５００は、既に参照したＵＥ１５３０を更に含む。そのハードウェア１５３５は、ＵＥ１５３０が現在位置しているカバレッジエリアをサービングする基地局との無線接続１５７０をセットアップし、維持するように設定された無線インターフェース１５３７を含むことができる。ＵＥ１５３０のハードウェア１５３５は、命令を実行するように適応された、１つまたは複数のプログラマブルプロセッサ、特定用途向け集積回路、フィールドプログラマブルゲートアレイまたはこれらの組合せ（図示せず）を含むことができる処理回路１５３８更に含む。ＵＥ１５３０は、ＵＥ１５３０に記憶されるかまたはＵＥ１５３０によってアクセス可能であり、処理回路１５３８によって実行可能なソフトウェア１５３１を更に含む。ソフトウェア１５３１は、クライアントアプリケーション１５３２を含む。クライアントアプリケーション１５３２は、ホストコンピュータ１５１０のサポートにより、ＵＥ１５３０を介して人間または非人間ユーザにサービスを提供するように動作可能とすることができる。ホストコンピュータ１５１０において、実行中のホストアプリケーション１５１２は、ＵＥ１５３０およびホストコンピュータ１５１０において終端するＯＴＴ接続１５５０を介して実行中のクライアントアプリケーション１５３２と通信することができる。サービスをユーザに提供する際、クライアントアプリケーション１５３２は、ホストアプリケーション１５１２からの要求データを受信し、要求データに応答してユーザデータを提供することができる。ＯＴＴ接続１５５０は、要求データおよびユーザデータの双方を転送することができる。クライアントアプリケーション１５３２は、ユーザとインタラクトして、提供するユーザデータを生成することができる。
【０１４３】
図２１に示すホストコンピュータ１５１０、基地局１５２０およびＵＥ１５３０は、それぞれ、図２０のホストコンピュータ１４３０、基地局１４１２ａ、１４１２ｂ、１４１２ｃのうちの１つ、およびＵＥ１４９１、１４９２のうちの１つと類似しているかまたは同一である場合があることに留意されたい。すなわち、これらのエンティティの内部の機能は、図２１に示す通りとすることができ、これと独立して、周囲のネットワークトポロジは図２０に示すものとすることができる。
【０１４４】
図２１において、ＯＴＴ接続１５５０は、任意の中間デバイスおよびこれらのデバイスを介したメッセージの厳密なルーティングへの明確な言及をすることなく、基地局１５２０を介したホストコンピュータ１５１０とＵＥ１５３０との間の通信を示すように抽象的に描かれている。ネットワークインフラストラクチャはルーティングを決定することができ、このルーティングは、ＵＥ１５３０から、もしくはホストコンピュータ１５１０を運用しているサービスプロバイダから、または双方から隠れるように設定することができる。ＯＴＴ接続１５５０がアクティブである間、ネットワークインフラストラクチャは、（例えば、負荷平衡の検討またはネットワークの再設定に基づいて）ルーティングを動的に変更する判定を更に行うことができる。
【０１４５】
ＵＥ１５３０と基地局１５２０との間の無線接続１５７０は、本開示全体を通じて説明される実施形態の教示に従う。様々な実施形態のうちの１つまたは複数が、ＯＴＴ接続１５５０を用いてＵＥ１５３０に提供されるＯＴＴサービスの性能を改善する。ＯＴＴ接続１５５０において、無線接続１５７０は最後のセグメントを形成する。より厳密には、これらの実施形態の教示は、データ送信のレイテンシを改善し、これによって、特にマシン制御用途のために、低減された待ち時間等の利点を提供することができる。
【０１４６】
１つまたは複数の実施形態が改善するデータレート、レイテンシおよび他の要素を監視する目的で、測定手順が提供され得る。更に、測定結果の変動に応答して、ホストコンピュータ１５１０とＵＥ１５３０との間のＯＴＴ接続１５５０を再設定するためのオプションのネットワーク機能が存在してもよい。ＯＴＴ接続１５５０を再設定するための測定手順および／またはネットワーク機能は、ホストコンピュータ１５１０のソフトウェア１５１１およびハードウェア１５１５において、もしくはＵＥ１５３０のソフトウェア１５３１およびハードウェア１５３５において、または双方において実施することができる。実施形態において、センサ（図示せず）は、ＯＴＴ接続１５５０が通過する通信デバイスにおいて、またはこの通信デバイスと関連付けて展開することができ、センサは、上記で例示した監視量の値を供給することによって、またはソフトウェア１５１１、１５３１が監視量を計算もしくは推定することができる他の物理的量の値を供給することによって、測定手順に参加することができる。ＯＴＴ接続１５５０の再設定は、メッセージフォーマット、再送信設定、好ましいルーティング等を含むことができ、再設定は基地局１５２０に影響を与える必要がなく、基地局１５２０にとって未知または知覚不可能なものであってもよい。そのような手順および機能性は、当該技術分野において、既知であり得、実施することができる。特定の実施形態において、測定は、ホストコンピュータ１５１０による、スループット、伝播時間、レイテンシ等の測定を容易にする専有ＵＥシグナリングを含むことができる。測定は、ソフトウェア１５１１および１５３１が、伝播時間、エラー等を監視しながら、ＯＴＴ接続１５５０を用いて、メッセージ、特に空のまたは「ダミー」メッセージが送信されるようにすることで実施することができる。
【０１４７】
図２２は、１つの実施形態による、通信システムにおいて実施される方法を示すフローチャートである。通信システムは、図２０および図２１を参照して説明したものとすることができる、ホストコンピュータ、基地局およびＵＥを含む。本開示を単純にするために、このセクションには、図２２への図面参照のみが含まれる。ステップ１６１０において、ホストコンピュータはユーザデータを提供する。ステップ１６１０のサブステップ１６１１（オプションとすることができる）において、ホストコンピュータは、ホストアプリケーションを実行することによってユーザデータを提供する。ステップ１６２０において、ホストコンピュータは、ユーザデータをＵＥに搬送する送信を開始する。ステップ１６３０（オプションとすることができる）において、基地局は、本開示全体を通じて説明される実施形態に教示に従って、ホストコンピュータが開始した送信において搬送されたユーザデータをＵＥに送信する。ステップ１６４０（これもオプションとすることができる）において、ＵＥは、ホストコンピュータによって実行されるホストアプリケーションに従ってクライアントアプリケーションを実行する。
【０１４８】
図２３は、１つの実施形態による、通信システムにおいて実施される方法を示すフローチャートである。通信システムは、図１４および図１５を参照して説明したものであり得るホストコンピュータ、基地局およびＵＥを含む。本開示を単純にするために、図２３への図面参照のみがこのセクションに含まれる。本方法のステップ１７１０において、ホストコンピュータはユーザデータを提供する。オプションのサブステップ（図示せず）において、ホストコンピュータは、ホストアプリケーションを実行することによってユーザデータを提供する。ステップ１７２０において、ホストコンピュータは、ユーザデータをＵＥに搬送する送信を開始する。送信は、本開示全体を通じて説明される実施形態に教示に従って、基地局を通過することができる。ステップ１７３０（オプションとすることができる）において、ＵＥは、送信において搬送されたユーザデータを受信する。
【０１４９】
図２４は、１つの実施形態による、通信システムにおいて実施される方法を示すフローチャートである。通信システムは、図１４および図１５を参照して説明したものであり得るホストコンピュータ、基地局およびＵＥを含む。本開示を単純にするために、図２４への図面参照のみがこのセクションに含まれる。ステップ１８１０（オプションとすることができる）において、ＵＥは、ホストコンピュータによって提供された入力データを受信する。更にまたは代替的に、ステップ１８２０において、ＵＥはユーザデータを提供する。ステップ１８２０のサブステップ１８２１（オプションとすることができる）において、ＵＥは、クライアントアプリケーションを実行することによってユーザデータを提供する。ステップ１８１０のサブステップ１８１１（オプションとすることができる）において、ＵＥは、ホストコンピュータによって提供された受信した入力データに応答してユーザデータを提供するクライアントアプリケーションを実行する。ユーザデータを提供する際、実行されるクライアントアプリケーションは、ユーザから受信されるユーザ入力を更に検討することができる。ユーザデータが提供された特定の方式と無関係に、ＵＥは、サブステップ１８３０（オプションとすることができる）において、ホストコンピュータへのユーザデータの送信を開始する。方法のステップ１８４０において、ホストコンピュータは、本開示全体を通じて説明された実施形態の教示に従って、ＵＥから送信されたユーザデータを受信する。
【０１５０】
図２５は、１つの実施形態による、通信システムにおいて実施される方法を示すフローチャートである。通信システムは、図２２および図２３を参照して説明したものであり得るホストコンピュータ、基地局およびＵＥを含む。本開示を単純にするために、図２５への図面参照のみがこのセクションに含まれる。ステップ１９１０（オプションとすることができる）において、本開示全体を通じて説明された実施形態の教示に従って、基地局はＵＥからユーザデータを受信する。ステップ１９２０（オプションとすることができる）において、基地局は、受信したユーザデータのホストコンピュータへの送信を開始する。ステップ１９３０（オプションとすることができる）において、ホストコンピュータは、基地局によって開始された送信において搬送されるユーザデータを受信する。
【０１５１】
本明細書に開示された任意の適切なステップ、方法、特徴、機能または利点は、１つまたは複数の仮想装置の１つまたは複数の機能ユニットまたはモジュールを通じて実行することができる。各仮想装置は、複数のこれらの機能ユニットを含むことができる。これらの機能ユニットは、１つまたは複数のマイクロプロセッサまたはマイクロコントローラ、およびデジタル信号プロセッサ（ＤＳＰ）、デディケーテッドデジタルロジック等を含むことができる他のデジタルハードウェアを含むことができる処理回路部により実施することができる。処理回路部は、メモリに記憶されたプログラムコードを実行するように設定することができ、メモリは、リードオンリーメモリ（ＲＯＭ）、ランダムアクセスメモリ（ＲＡＭ）、キャッシュメモリ、フラッシュメモリデバイス、光ストレージデバイス等のような１つまたはいくつかのタイプのメモリを含むことができる。メモリに記憶されるプログラムコードは、１つまたは複数の電気通信および／またはデータ通信プロトコル、ならびに本明細書に記載の技法のうちの１つまたは複数を実行するためのプログラム命令を含む。いくつかの実施形態において、処理回路は、本開示の１つまたは複数の実施形態に従って、それぞれの機能ユニットに対応する機能を実行させるために使用することができる。
【０１５２】
一般に、本明細書で使用される全ての用語は、異なる意味が明瞭に与えられていない限り、および／または異なる意味が用いられる文脈において暗に意味されていない限り、関連技術分野でのその通常の意味に従って解釈されるべきである。要素、装置、構成要素、手段、ステップ等への全ての言及は、別段の記載が明示的にない限り、この要素、装置、構成部品、手段、ステップ等の少なくとも１つのインスタンスに言及するものとして非限定的に解釈すべきである。本明細書に開示される任意の方法のステップは、ステップが別のステップに後続または先行することが明示的に記載されない限り、および／またはステップが別のステップに後続もしくは先行しなくてはならないことが暗黙的である場合を除いて、開示された厳密な順序で実行されなくてもよい。本明細書に開示される実施形態のうちの任意のものの任意の特徴は、任意の他の実施形態に適宜適用することができる。同様に、実施形態のうちの任意のものの任意の利点は任意の他の実施形態に適用することができ、逆もまた同様である。同封の実施形態の他の目的、特徴および利点は説明から明らかとなろう。
【０１５３】
ユニットという用語は、エレクトロニクス、電気デバイスおよび／または電子デバイスの分野における従来の意味を有することができ、例えば、本明細書に記載されるような、電気および／または電子回路部、デバイス、モジュール、プロセッサ、メモリ、ソリッドステートロジックおよび／またはディスクリートデバイス、それぞれのタスク、プロシージャ、計算、出力および／または表示機能等を実行するためのコンピュータプログラムまたは命令、等を含むことができる。
【０１５４】
本明細書において企図される実施形態のいくつかが、添付の図面を参照してより完全に説明される。しかしながら、本明細書に開示される主題の範囲内には他の実施形態が含まれる。開示される主題は、本明細書に記載の実施形態のみに限定されると解釈すべきではなく、むしろ、これらの実施形態は、本主題の範囲を当業者に伝達するために、例として与えられる。
【０１５５】
当然ながら、本発明は、本発明の本質的な特徴から逸脱することなく、本明細書に詳細に示したものと異なる方式で実行されてもよい。本実施形態は、全ての点で、限定ではなく例示とみなされ、添付の特許請求の範囲の意味および均等の範囲内にある全ての変更がこの範囲に包含されることが意図される。
【０１５６】
加えて、または代替的に、本開示の実施形態は、本明細書に記載の特徴の任意の適合性のある組合せを含むことができる。実際、本発明は、本発明の本質的な特徴から逸脱することなく、本明細書に詳細に示したものと異なる方式で実行されてもよい。本実施形態は、全ての点で、限定ではなく例示とみなされ、添付の特許請求の範囲の意味および均等の範囲内にある全ての変更がこの範囲に包含されることが意図される。例えば、本明細書に記載の様々なプロセスまたは方法のステップは、連続しているかまたは時間的順序を有するものとして示され、記載された場合があるが、任意のそのようなプロセスまたは方法のステップは、別段の指示がない限り、いかなる特定の配列または順序で実行されることにも限定されない。実際、そのようなプロセスまたは方法におけるステップは、一般的には、依然として本発明の範囲内にありながら、様々な異なる配列および順序で実行することができる。
【図１】
2021502026.tif 000003
【図２】
2021502026.tif 000004
【図３Ａ】
2021502026.tif 000005
【図３Ｂ】
2021502026.tif 000006
【図４】
2021502026.tif 000007
【図５】
2021502026.tif 000008
【図６】
2021502026.tif 000009
【図７】
2021502026.tif 000010
【図８】
2021502026.tif 000011
【図９】
2021502026.tif 000012
【図１０】
2021502026.tif 000013
【図１１】
2021502026.tif 000014
【図１２】
2021502026.tif 000015
【図１３】
2021502026.tif 000016
【図１４】
2021502026.tif 000017
【図１５】
2021502026.tif 000018
【図１６】
2021502026.tif 000019
【図１７】
2021502026.tif 000020
【図１８】
2021502026.tif 000021
【図１９】
2021502026.tif 000022
【図２０】
2021502026.tif 000023
【図２１】
2021502026.tif 000024
【図２２】
2021502026.tif 000025
【図２３】
2021502026.tif 000026
【図２４】
2021502026.tif 000027
【図２５】
2021502026.tif 000028
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
無線通信ネットワーク（１０）において基地局（３００、５００）によって実施される、周期的データ送信を同期させる方法であって、前記周期的データ送信の各データ送信は、所定の数の繰り返しを含み、前記方法は、
前記周期的データ送信のために第１のＳＰＳ設定をユーザ機器（４００、６００）に送信することであって、前記ＳＰＳ設定はＳＰＳ期間およびオフセットを含む、第１のＳＰＳ設定をユーザ機器（４００、６００）に送信すること、
前記周期的データ送信のために前記ＳＰＳ期間内で利用可能なＳＰＳリソースを割り当てることであって、前記周期的データ送信のために割り当てられるＳＰＳリソースの数は、各データ送信における繰り返し数を上回る、前記ＳＰＳ期間内で利用可能なＳＰＳリソースを割り当てることと、
第１のＳＰＳ期間において、前記ユーザ機器（４００、６００）からデータ送信を受信するか、またはデータ送信を前記ユーザ機器（４００、６００）に送信することと、
前記データ送信のタイミングに基づいて、前記ＳＰＳ期間を前記周期的データ送信と同期させるための新たなＳＰＳ設定を決定することと、
前記新たなＳＰＳ設定を前記ユーザ機器（４００、６００）に送信することと、
を含む、方法。
【請求項２】
前記周期的データ送信の前記タイミングに基づいて前記新たなＳＰＳ設定を決定することは、
前記ＳＰＳ期間の開始に対する前記データ送信の最初の繰り返しのタイミングを決定することと、
前記データ送信の前記最初の繰り返しの前記タイミングに基づいて前記新たなＳＰＳ設定を決定することと、
を含む、請求項１に記載の方法。
【請求項３】
前記データ送信の前記タイミングに基づいて前記新たなＳＰＳ設定を決定することは、
前記データ送信の前記最初の繰り返しの前記タイミングに基づいて、異なるタイミングオフセットを有する１つまたは複数の候補ＳＰＳ設定を決定することと、
候補ＳＰＳ設定ごとに、前記データ送信のためのデータ送信時点を決定することと、
最も早いデータ送信時点を有する前記候補ＳＰＳ設定を前記新たなＳＰＳ設定として選択することと、
を含む、請求項１に記載の方法。
【請求項４】
前記データ送信の前記最初の繰り返しの前記タイミングに基づいて前記新たなＳＰＳ設定を決定することは、前記第１のＳＰＳ設定と比較して前記オフセットを調節することを含む、請求項１から３のいずれか一項に記載の方法。
【請求項５】
前記周期的データ送信のために前記ＳＰＳ期間内で利用可能なＳＰＳリソースを割り当てることは、ＳＰＳ期間内の全ての利用可能なＳＰＳリソースを前記周期的データ送信のために前記ユーザ機器（４００、６００）に割り当てることを含む、請求項１から４のいずれか一項に記載の方法。
【請求項６】
前記周期的データ送信のために前記ＳＰＳ期間内で利用可能なＳＰＳリソースを割り当てることは、ＳＰＳ期間内の全てよりも少ない利用可能なＳＰＳリソースを前記周期的データ送信のために前記ユーザ機器（４００、６００）に割り当てることを含む、請求項１から５のいずれか一項に記載の方法。
【請求項７】
前記繰り返し数は１に等しい、請求項１から６のいずれか一項に記載の方法。
【請求項８】
前記新たなＳＰＳ設定を決定した後に、前記周期的データ送信のためのＳＰＳリソースの前記割り当てを調節することを更に含む、請求項１から７のいずれか一項に記載の方法。
【請求項９】
前記周期的データ送信のためのＳＰＳリソースの前記割り当てを調節することは、前記繰り返し数に等しい数の利用可能なＳＰＳリソースを前記周期的データ送信のために割り当てることを含む、請求項８に記載の方法。
【請求項１０】
前記ＳＰＳ期間のうちの１つの間に、前記ユーザ機器（４００、６００）からの非周期的データ送信を検出することと、
前記非周期的データ送信の検出に応答して、前記周期的データ送信のためのリソース割り当てを調節することと、
を更に含む、請求項１から９のいずれか一項に記載の方法。
【請求項１１】
前記周期的データ送信は、前記ユーザ機器（４００、６００）から前記基地局（３００、５００）へのアップリンク送信を含む、請求項１から１０のいずれか一項に記載の方法。
【請求項１２】
無線通信ネットワーク（１０）においてユーザ機器（４００、６００）によって実行される、前記ユーザ機器（４００、６００）から基地局（３００、５００）への周期的データ送信を同期させる方法であって、前記方法は、
前記基地局（３００、５００）から、前記周期的データ送信のための第１のＳＰＳ設定を受信することであって、前記第１のＳＰＳ設定は、ＳＰＳ期間およびオフセットを含む、前記周期的データ送信のための第１のＳＰＳ設定を受信することと、
前記基地局（３００、５００）から、前記周期的データ送信のために前記ＳＰＳ期間内で利用可能なＳＰＳリソースの割り当てを受信することであって、前記周期的データ送信のために割り当てられるＳＰＳリソースの数は、各データ送信における繰り返し数を上回る、前記ＳＰＳ期間内で利用可能なＳＰＳリソースの割り当てを受信することと、
前記第１のＳＰＳ設定に従って割り当てられたＳＰＳリソースにおいて、前記基地局（３００、５００）からデータ送信を受信するか、または前記基地局（３００、５００）にデータ送信を送信することと、
前記基地局から新たなＳＰＳ設定を受信することであって、前記新たなＳＰＳ設定は、前記ＳＰＳ期間を前記周期的データ送信と同期させるための前記データ送信のタイミングに基づいて決定される、新たなＳＰＳ設定を受信することと、
を含む、方法。
【請求項１３】
前記データ送信は、前記基地局（３００、５００）からのダウンリンク送信を含む、請求項１２に記載の方法。
【請求項１４】
前記ユーザ機器（４００、６００）は、前記データ送信をブラインド検出する、請求項１３に記載の方法。
【請求項１５】
前記データ送信における参照信号の巡回シフトを検出することと、
前記巡回シフトに基づいて、前記データ送信がパディングデータを含むかまたは非パディングデータを含むかを判断することと、
を更に含む、請求項１４に記載の方法。 
【請求項１６】
前記データ送信は、前記ユーザ機器（４００、６００）から前記基地局（３００、５００）へのアップリンク送信を含む、請求項１２に記載の方法。
【請求項１７】
前記ユーザ機器（４００、６００）によって、データパケット到達時点に基づいて前記データ送信のために割り当てられたＳＰＳリソースを選択することを更に含む、請求項１６に記載の方法。
【請求項１８】
前記周期的データ送信のためのデータパケット到達時点を示す支援情報を前記基地局（３００、５００）に送信することを更に含む、請求項１６または１７に記載の方法。
【請求項１９】
請求項１から１１のいずれか一項に記載の方法のうちの任意の１つを実行するように設定された、無線通信ネットワーク（１０）における基地局（３００、５００）。
【請求項２０】
無線通信ネットワーク（１０）において基地局（３００、５００）における処理回路によって実行されると、前記基地局（３００、５００）に請求項１から１１のいずれか一項に記載の方法のうちの任意の１つを実行させる実行可能命令を含むコンピュータプログラム（５９５）。
【請求項２１】
請求項１２から１８のいずれか一項に記載の方法のうちの任意の１つを実行するように設定された、無線通信ネットワーク（１０）におけるユーザ機器（４００、６００）。
【請求項２２】
無線通信ネットワーク（１０）においてユーザ機器における処理回路によって実行されると、前記ユーザ機器に請求項１２から１８のいずれか一項に記載の方法のうちの任意の１つを実行させる実行可能命令を含むコンピュータプログラム（６９５）。
【国際調査報告】
2021502026.tif 000029
2021502026.tif 000030
2021502026.tif 000031
2021502026.tif 000032